(57)【要約】調光装置は、第１基板７１１、第２基板７１２及び発光積層体を備えており、発光積層体は、第１電極７３１、調光層７２０及び第２電極７３２が積層されて成り、調光層７２０は、還元着色層７２１、電解質層７２２及び酸化着色層７２３の積層構造を有し、還元着色層７２１を構成する化合物において還元反応に寄与する金属の原子数を［Ｒｅ］、酸化着色層７２３を構成する化合物において酸化反応に寄与する金属の原子数を［Ｏｘ］としたとき、［Ｒｅ］／［Ｏｘ］の値は所定の範囲内にあり、あるいは又、還元着色層７２１の厚さをＴRe、酸化着色層７２３の厚さをＴOxとしたとき、ＴRe／ＴOxの値は所定の範囲内にある。
2019097895.tif 000002
【特許請求の範囲】
【請求項１】
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層を構成する化合物において還元反応に寄与する金属の原子数を［Ｒｅ］、酸化着色層を構成する化合物において酸化反応に寄与する金属の原子数を［Ｏｘ］としたとき、［Ｒｅ］／［Ｏｘ］の値は所定の範囲内にある調光装置。
【請求項２】
１≦［Ｒｅ］／［Ｏｘ］≦６．５
を満足する請求項１に記載の調光装置。
【請求項３】
還元着色層はＷＯ3から成り、電解質層はＴａ2Ｏ5から成り、酸化着色層はイリジウム原子を含む請求項１に記載の調光装置。
【請求項４】
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層の厚さをＴRe、酸化着色層の厚さをＴOxとしたとき、ＴRe／ＴOxの値は所定の範囲内にある調光装置。
【請求項５】
１．０≦ＴRe／ＴOx≦４．５
を満足する請求項４に記載の調光装置。
【請求項６】
還元着色層の体積相対密度をＬＤRe、酸化着色層の体積相対密度をＬＤOxとしたとき、（ＴRe×ＬＤRe×αRe）／（ＴOx×ＬＤOx×αOx）の値は所定の範囲内にある請求項４に記載の調光装置。
【請求項７】
１．０≦（ＴRe×ＬＤRe×αRe）／（ＴOx×ＬＤOx×αOx）≦４．６
を満足する請求項６に記載の調光装置。
【請求項８】
還元着色層はＷＯ3から成り、電解質層はＴａ2Ｏ5から成り、酸化着色層はイリジウム原子を含む請求項４に記載の調光装置。
【請求項９】
少なくとも第２電極と第２基板との間には水分保持部材が配設されている請求項１又は請求項４に記載の調光装置。
【請求項１０】
水分保持部材の端面は外部に露出している請求項９に記載の調光装置。
【請求項１１】
第１基板及び第２基板はプラスチック材料から成る請求項１又は請求項４に記載の調光装置。
【請求項１２】
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層を構成する化合物において還元反応に寄与する金属の原子数を［Ｒｅ］、酸化着色層を構成する化合物において酸化反応に寄与する金属の原子数を［Ｏｘ］としたとき、［Ｒｅ］／［Ｏｘ］の値は所定の範囲内にある画像表示装置。
【請求項１３】
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層の厚さをＴRe、酸化着色層の厚さをＴOxとしたとき、ＴRe／ＴOxの値は所定の範囲内にある画像表示装置。
【請求項１４】
観察者の頭部に装着されるフレーム、及び、
フレームに取り付けられた画像表示装置、
を備えた表示装置であって、
画像表示装置は、
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層を構成する化合物において還元反応に寄与する金属の原子数を［Ｒｅ］、酸化着色層を構成する化合物において酸化反応に寄与する金属の原子数を［Ｏｘ］としたとき、［Ｒｅ］／［Ｏｘ］の値は所定の範囲内にある表示装置。
【請求項１５】
観察者の頭部に装着されるフレーム、及び、
フレームに取り付けられた画像表示装置、
を備えた表示装置であって、
画像表示装置は、
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層の厚さをＴRe、酸化着色層の厚さをＴOxとしたとき、ＴRe／ＴOxの値は所定の範囲内にある表示装置。
【発明の詳細な説明】
【技術分野】
【０００１】
本開示は、調光装置、係る調光装置を備えた画像表示装置、及び、係る画像表示装置を備えた表示装置に関し、より具体的には、例えば、頭部装着型ディスプレイ（ＨＭＤ，Head Mounted Display）に用いられる表示装置に関する。
【背景技術】
【０００２】
近年、現実の環境（あるいはその一部）に付加情報としてバーチャルな物体や各種情報を電子情報として合成・提示する拡張現実技術（ＡＲ技術：Augmented Reality）が、注目を浴びている。この拡張現実技術を実現するために、視覚情報を提示する装置として、例えば、頭部装着型ディスプレイが検討されている。そして、応用分野として、現実の環境における作業支援が期待されており、例えば、道路案内情報の提供、メンテナンス等を行う技術者に対する技術情報提供等を挙げることができる。特に、頭部装着型ディスプレイは、手がふさがられることがないため、非常に便利である。また、屋外を移動しながら映像や画像を楽しみたい場合にも、視界に映像や画像と外部環境とを同時に捉えることができるため、スムーズな移動が可能となる。【０００３】
画像形成装置によって形成された２次元画像を虚像光学系により拡大虚像として観察者に観察させるための虚像表示装置（表示装置）が周知である。そして、この表示装置において２次元画像に基づく虚像を形成することで、観察者は、外界の像と形成された虚像とを重畳して見ることができる。ところで、表示装置の置かれた周囲の環境が非常に明るい場合や、形成された虚像の内容に依っては、観察者が観察する虚像に十分なコントラストを与えることができないといった問題が生じ得る。そこで、このような問題を解決する手段、即ち、調光装置を備えた虚像表示装置（表示装置）が、例えば、特開２０１２−２５２０９１号公報から周知である。
【先行技術文献】
【特許文献】
【０００４】
【特許文献１】特開２０１２−２５２０９１号公報
【発明の概要】
【発明が解決しようとする課題】
【０００５】
然るに、調光装置を構成する調光層をエレクトロクロミック材料から構成し、エレクトロクロミック材料の酸化還元反応によって発生する物質の色変化を応用して光の透過率を変化させる場合、調光層に電圧を印加していない状態にあっても調光層に僅かに着色状態が残るといった着色現象、調光層が着色・消色を繰り返す内に調光層に気泡が発生するといった気泡発生現象が顕在化してきた。【０００６】
従って、本開示の目的は、着色現象及び気泡発生現象を効果的に抑制することができる構成、構造を有する調光装置、係る調光装置を備えた画像表示装置、及び、係る画像表示装置を備えた表示装置を提供することにある。
【課題を解決するための手段】
【０００７】
上記の目的を達成するための本開示の第１の態様あるいは第２の態様に係る調光装置は、
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有する。【０００８】
そして、本開示の第１の態様に係る調光装置にあっては、還元着色層を構成する化合物において還元反応に寄与する金属の原子数を［Ｒｅ］、酸化着色層を構成する化合物において酸化反応に寄与する金属の原子数を［Ｏｘ］としたとき、［Ｒｅ］／［Ｏｘ］の値は所定の範囲内にあり、また、本開示の第２の態様に係る調光装置にあっては、還元着色層の厚さをＴRe、酸化着色層の厚さをＴOxとしたとき、ＴRe／ＴOxの値は所定の範囲内にある。【０００９】
上記の目的を達成するための本開示の第１の態様あるいは第２の態様に係る画像表示装置は、
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、本開示の第１の態様あるいは第２の態様に係る調光装置から成る。【００１０】
上記の目的を達成するための本開示の第１の態様あるいは第２の態様に係る表示装置は、
観察者の頭部に装着されるフレーム、及び、
フレームに取り付けられた画像表示装置、
を備えた表示装置であって、
画像表示装置は、
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、本開示の第１の態様あるいは第２の態様に係る調光装置から成る。
【図面の簡単な説明】
【００１１】
【図１】図１Ａ及び図１Ｂは、それぞれ、実施例１の調光装置を図２Ａの矢印Ａ−Ａ及び矢印Ｂ−Ｂに沿って切断したときの調光装置の模式的な断面図である。
【図２】図２Ａ及び図２Ｂは、実施例１の調光装置を光入射側（上方）から眺めたときの第１基板等の配置図及び第２基板等の配置図であり、図２Ｃは、実施例１の調光装置の変形例における第１基板等を光入射側（上方）から眺めたときの配置図である。
【図３】図３Ａ及び図３Ｂは、実施例１の画像表示装置の一部分をＸＺ平面で切断したときの模式的な断面図、及び、実施例１の調光装置を正面から眺めた模式図である。
【図４】図４Ａは、実施例１の画像表示装置の一部分を図３Ｂの矢印Ｂ−Ｂに沿って切断したときの（即ち、ＹＺ平面で切断したときの）模式的な断面図であり、図４Ｂは、実施例１の表示装置を側面から眺めた模式図である。
【図５】図５は、実施例１の画像表示装置の概念図である。
【図６】図６は、反射型体積ホログラム回折格子の一部を拡大して示す模式的な断面図である。
【図７】図７は、実施例１の表示装置を上方から眺めた模式図である。
【図８】図８は、実施例１の表示装置を正面から眺めた模式図である。
【図９】図９Ａ及び図９Ｂは、それぞれ、実施例２の調光装置を図２Ａの矢印Ａ−Ａに沿って切断したときと同様の模式的な断面図、及び、実施例２の調光装置の第１基板等を光入射側（上方）から眺めたときの配置図である。
【図１０】図１０Ａ及び図１０Ｂは、それぞれ、実施例３の調光装置を図２Ａの矢印Ａ−Ａに沿って切断したときと同様の模式的な断面図、及び、実施例３の調光装置の第１基板等を光入射側（上方）から眺めたときの配置図である。
【図１１】図１１は、実施例４の調光装置を図２Ａの矢印Ａ−Ａに沿って切断したときと同様の模式的な断面図である。
【図１２】図１２Ａ及び図１２Ｂは、それぞれ、実施例５の調光装置を、図２Ａの矢印Ｂ−Ｂに沿って切断したときと同様の模式的な断面図、及び、第２電極等を光入射側（上方）から眺めたときの配置図である。
【図１３】図１３Ａ及び図１３Ｂは、それぞれ、実施例５の調光装置の変形例を、図２Ａの矢印Ｂ−Ｂに沿って切断したときと同様の模式的な断面図、及び、第１電極等を光入射側とは反対側（下方）から眺めたときの配置図である。
【図１４】図１４は、実施例５の調光装置の別の変形例を、図２Ａの矢印Ｂ−Ｂに沿って切断したときと同様の模式的な断面図である。
【図１５】図１５Ａ及び図１５Ｂは、それぞれ、実施例６の調光装置を、図２Ａの矢印Ａ−Ａ及び矢印Ｂ−Ｂに沿って切断したときと同様の模式的な断面図である。
【図１６】図１６Ａ及び図１６Ｂは、それぞれ、実施例６の調光装置の変形例を、図２Ａの矢印Ａ−Ａ及び矢印Ｂ−Ｂに沿って切断したときと同様の模式的な断面図である。
【図１７】図１７は、実施例７の画像表示装置の概念図である。
【図１８】図１８は、実施例８の画像表示装置（実施例１の変形例）の概念図である。
【図１９】図１９は、実施例８の画像表示装置（実施例７の変形例）の概念図である。
【図２０】図２０は実施例９の表示装置における画像表示装置の概念図である。
【図２１】図２１Ａ及び図２１Ｂは、それぞれ、実施例１０の表示装置を上方から眺めた模式図、及び、照度センサを制御する回路の模式図である。
【図２２】図２２Ａ及び図２２Ｂは、それぞれ、実施例１１の表示装置を上方から眺めた模式図、及び、照度センサを制御する回路の模式図である。
【図２３】図２３は、実施例１２の表示装置を上方から眺めた模式図である。
【図２４】図２４は、図２３に示した実施例１２の表示装置における光学装置及び調光装置の模式的な正面図である。
【図２５】図２５は、実施例１２の別の表示装置を上方から眺めた模式図である。
【図２６】図２６は、実施例１３の画像表示装置の概念図である。
【図２７】図２７は、実施例１３の画像表示装置の概念図である。
【図２８】図２８は、実施例１３の画像表示装置の変形例における光学系を説明する概念図である。
【図２９】図２９Ａ及び図２９Ｂは、実施例１４の表示装置における光学装置を上から眺めた模式図である。
【図３０】図３０Ａ及び図３０Ｂは、それぞれ、実施例１４の表示装置の変形例における光学装置を上から眺めた模式図、及び、横から眺めた模式図である。
【図３１】図３１は、実施例１５の調光装置の模式的な断面図である。
【図３２】図３２は、楕円形状の外形形状を有する調光装置を示す模式図である。
【図３３】図３３Ａ及び図３３Ｂは、実施例１の調光装置の変形例を図２Ａの矢印Ａ−Ａに沿って切断したときと同様の模式的な断面図である。
【図３４】図３４は、調光装置の変形例の模式的な正面図である。
【図３５】図３５は、実施例１の表示装置の更に別の変形例における光学装置の概念図である。
【図３６】図３６は、実施例１の表示装置における調光装置の着色現象及び気泡発生現象の評価結果を示すグラフである。
【発明を実施するための形態】
【００１２】
以下、図面を参照して、実施例に基づき本開示を説明するが、本開示は実施例に限定されるものではなく、実施例における種々の数値や材料は例示である。尚、説明は、以下の順序で行う。
１．本開示の第１の態様〜第２の態様に係る調光装置、画像表示装置及び表示装置、全般に関する説明
２．実施例１（本開示の第１の態様〜第２の態様に係る調光装置、画像表示装置及び表示装置、第１−Ｂ構造の光学装置／第１構成の画像形成装置）
３．実施例２（実施例１の変形）
４．実施例３（実施例１の別の変形）
５．実施例４（実施例１〜実施例３の変形）
６．実施例５（実施例１〜実施例４の変形）
７．実施例６（実施例１〜実施例５の変形）
８．実施例７（実施例１〜実施例６の変形、第１−Ｂ構造の光学装置／第２構成の画像形成装置）
９．実施例８（実施例１〜実施例７の変形、第１−Ａ構造の光学装置／第１構成・第２構成の画像形成装置）
１０．実施例９（実施例７〜実施例８の変形、第２構造の光学装置／第２構成の画像形成装置）
１１．実施例１０（実施例１〜実施例９の変形）
１２．実施例１１（実施例１〜実施例９の変形）
１３．実施例１２（実施例１〜実施例１１の変形）
１４．実施例１３（実施例７の変形）
１５．実施例１４（実施例９の変形）
１６．実施例１５（調光装置の窓への適用）
１７．その他
【００１３】
〈本開示の第１の態様〜第２の態様に係る調光装置、画像表示装置及び表示装置、全般に関する説明〉
本開示の第１の態様に係る調光装置、本開示の第１の態様に係る画像表示装置を構成する調光装置、及び、本開示の第１の態様に係る表示装置を構成する調光装置を総称して、以下、『本開示の第１の態様に係る調光装置等』と呼ぶ場合がある。また、本開示の第２の態様に係る調光装置、本開示の第２の態様に係る画像表示装置を構成する調光装置、及び、本開示の第２の態様に係る表示装置を構成する調光装置を総称して、以下、『本開示の第２の態様に係る調光装置等』と呼ぶ場合がある。
【００１４】
本開示の第１の態様に係る調光装置等にあっては、
１≦［Ｒｅ］／［Ｏｘ］≦６．５
好ましくは、
１≦［Ｒｅ］／［Ｏｘ］≦５．５
より好ましくは、
［Ｒｅ］／［Ｏｘ］≦４．５
を満足することが望ましい。
【００１５】
還元着色層を構成する化合物において還元反応に寄与する金属の原子数［Ｒｅ］は、還元着色層に含まれる金属の単位面積当たりの質量をその金属の原子量で除した値であるし、酸化着色層を構成する化合物において酸化反応に寄与する金属の原子数［Ｏｘ］は、酸化着色層に含まれる金属の単位面積当たりの質量をその金属の原子量で除した値である。還元着色層の単位面積当たりの質量は、
還元着色層に含まれる金属の単位面積当たりの質量
＝（還元着色層の密度）×（還元着色層の厚さ）×αRe
で求めることができるし、酸化着色層の単位面積当たりの質量は、
酸化着色層に含まれる金属の単位面積当たりの質量
＝（酸化着色層の密度）×（酸化着色層の厚さ）×αOxe
で求めることができる。但し、
αRe＝（還元反応に寄与する金属の原子量）／（還元着色層を構成する化合物の原子量）
αOx＝（酸化反応に寄与する金属の原子量）／（酸化着色層を構成する化合物の原子量）
である。還元着色層あるいは酸化着色層の密度とは、後述するように、還元着色層あるいは酸化着色層をＸ線反射率法（ＸＲＲ法）で測定したときの密度である。還元着色層及び酸化着色層は、屡々、室温程度の温度での成膜が要求されるため、結晶性の低い低密度の（粗の）層となり易い。酸化着色層や還元着色層を構成する金属原子は、例えば、Ｘ線光電子分光法（ＸＰＳ法あるいはＥＳＣＡ法）に基づき同定することができる。
【００１６】
また、本開示の第２の態様に係る調光装置等にあっては、
１．０≦ＴRe／ＴOx≦４．５
好ましくは、
１．０≦ＴRe／ＴOx≦３．８
より好ましくは、
１．０≦ＴRe／ＴOx≦３．３
を満足することが望ましい。
【００１７】
あるいは又、本開示の第２の態様に係る調光装置において、還元着色層の体積相対密度をＬＤRe、酸化着色層の体積相対密度をＬＤOxとしたとき、（ＴRe×ＬＤRe×αRe）／（ＴOx×ＬＤOx×αOx）の値は所定の範囲内にある形態とすることができる。そして、この場合、
１．０≦（ＴRe×ＬＤRe×αRe）／（ＴOx×ＬＤOx×αOx）≦４．６
好ましくは、
１．０≦（ＴRe×ＬＤRe×αRe）／（ＴOx×ＬＤOx×αOx）≦３．８
より好ましくは、
１．０≦（ＴRe×ＬＤRe×αRe）／（ＴOx×ＬＤOx×αOx）≦３．３
を満足することが望ましい。「体積相対密度」とは、還元着色層あるいは酸化着色層をＸ線反射率法（ＸＲＲ法）で測定したときの還元着色層あるいは酸化着色層の密度を、還元着色層あるいは酸化着色層を構成する化合物が完全結晶である場合の密度で除した値である。
【００１８】
上記の各種の好ましい形態を含む本開示の第１の態様あるいは第２の態様に係る調光装置等において、還元着色層は酸化タングステン（ＷＯ3）から成り、電解質層は酸化タンタル（Ｔａ2Ｏ5）から成り、酸化着色層はイリジウム原子を含む形態とすることが望ましい。イリジウム原子を含む酸化着色層を構成する材料として、酸化イリジウム（ＩｒＯx）系材料、具体的には、酸化イリジウム（ＩｒＯx）又は酸化イリジウム錫（ＩｒyＳｎ1-yＯx）を挙げることができる。但し、還元着色層や酸化着色層は、これに限定するものではなく、還元着色層を構成する材料として、その他、酸化モリブデン（ＭｏＯ3）や酸化バナジウム（Ｖ2Ｏ5）等の無機材料や、ビオロゲン誘導体、ポリチオフェン誘導体、プルシアンブルー誘導体等の有機材料を挙げることができるし、酸化着色層を構成する材料として、その他、酸化ロジウム（ＲｈＯx）、酸化ニッケル（ＮｉＯx）、酸化クロム（ＣｒＯx）、酸化ジルコニウム（ＺｒＯx）、リン酸ジルコニウム、水酸化ニッケル、塩化銅等の無機材料や、金属錯体（プルシアンブルー錯体、ルテニウムパープル錯体）、ペンタシアノカルボニル鉄酸鉄；アミン誘導体、フェナジン、ビオロゲン誘導体等の有機材料を挙げることができる。また、電解質層として、その他、炭酸プロピレン、イオン液体、イオンポリマーを挙げることができる。
【００１９】
更には、上記の各種の好ましい形態を含む本開示の第１の態様あるいは第２の態様に係る調光装置等において、少なくとも第２電極と第２基板との間には水分保持部材が配設されている形態とすることができ、この場合、水分保持部材の端面は外部に露出している形態とすることができる。尚、調光装置の端部（側面）の少なくとも一部は、第１基板側から、封止部材及び水分保持部材から構成されている形態（即ち、調光装置の端部の少なくとも一部は、第１基板側から、封止部材、及び、水分保持部材から延在する水分保持部材延在部の積層構造から構成されている形態）とすることができる。
【００２０】
そして、第２電極は、調光層上から第１基板上に亙り、且つ、第１電極と離間して形成されており、水分保持部材は、少なくとも第２電極及び調光層を覆う形態とすることができる。
【００２１】
水分保持部材を構成する樹脂は、アクリル系樹脂、シリコーン系樹脂又はウレタン系樹脂である形態とすることができる。あるいは又、水分保持部材は、紫外線硬化型樹脂から成る形態とすることができる。あるいは又、水分保持部材は、ＯＣＡ（Optical Clear Adhesive）と呼ばれる材料から構成することもできる。あるいは又、水分保持部材を構成する材料として、エポキシ系樹脂、ポリビニルアルコール及びポリビニルブチラールといったポリビニル系樹脂、水分含有ゲル、多孔質材料から成る群から選択された少なくとも１種類の材料を挙げることができる。水分含有ゲルとして、例えば、ポリアクリル酸ナトリウム及び末端にデンドロン基を有するポリエチレングリコールの混合物を例示することができるし、多孔質材料として有機シラン化合物で表面修飾されたシリカ等を挙げることができる。尚、『水分保持部材』は、プロトン供給部材、水分を保持し得る透明粘着部材、あるいは、水分を保持し得る透明封止部材と云い換えることもできる。水分保持部材の形態に依存するが、例えば、水分保持部材がシート状の場合、水分保持部材を介して第２基板と第２電極とを、また、第２基板と封止部材とを貼り合わせることができるし、熱可塑性紫外線硬化型の水分保持部材を用いることもできる。あるいは又、水分保持部材が液状の場合、第２電極から封止部材の上に亙り水分保持部材を塗布し、必要に応じてプレキュアした後、必要に応じて加圧しながら第２基板を水分保持部材に重ね合わせ、紫外線によって水分保持部材を硬化させればよい。あるいは又、使用する材料に依るが、熱ラミネート法等に基づき、第２電極から封止部材の上に亙り水分保持部材を貼り合わせることもできる。
【００２２】
封止部材は水分バリア層として機能するが、封止部材の一部は補助電極から成る構成することができ、この場合、補助電極は、第１電極上に形成された第１補助電極、及び、第２電極上に第１補助電極と離間して形成された第２補助電極から構成されている構成とすることができる。このように、補助電極を設けることで、第１電極及び第２電極へ適切な電圧を容易に印加することができるし、第１電極あるいは第２電極における電圧降下の発生を抑制することができるので、調光装置の着色時のムラ発生を低減することができる。以下においても同様である。補助電極全体の長さを「１」としたとき、第１補助電極の長さは０．５未満であり、第２補助電極の長さは０．５未満であることが好ましい。以下においても同様である。
【００２３】
あるいは又、封止部材は樹脂から成る構成とすることができ、この場合、封止部材を構成する樹脂のヤング率は１×１０7Ｐａ以下である構成とすることができ、更には、これらの場合、封止部材の一部の内側に補助電極が設けられている構成とすることができる。ここで、補助電極は、第１電極上に形成された第１補助電極、及び、第２電極上に第１補助電極と離間して形成された第２補助電極から構成されている構成とすることができる。封止部材を構成する樹脂として、熱硬化型、光硬化型、湿気硬化型、嫌気硬化型等の各種の樹脂、例えば、アクリル系樹脂、ウレタン系樹脂、シリコーン系樹脂、フッ素系樹脂、酢酸ビニル系樹脂、エン−チオール系樹脂、変性ポリマー樹脂、ポリイミド系樹脂及びエポキシ系樹脂から成る群から選択された１種類の樹脂を挙げることができる。封止部材を樹脂から構成する場合、樹脂にシリカやアルミナ等の無機フィラーを添加してもよい。
【００２４】
あるいは又、封止部材は、第１基板の縁部に設けられた凸部から成る構成とすることができ、この場合、封止部材の一部の内側に補助電極が設けられている構成とすることができる。ここで、補助電極は、第１電極上に形成された第１補助電極、及び、第２電極上に第１補助電極と離間して形成された第２補助電極から構成されている構成とすることができる。第１基板の縁部における凸部は、例えば、熱プレス装置を用いて第１基板の縁部を熱プレスすることで形成することができるし、各種物理的気相成長法（ＰＶＤ法）や各種化学的気相成長法（ＣＶＤ法）、各種印刷法によって形成することもできる。
【００２５】
更には、封止部材の断面形状は、第２基板に近づくに従い狭くなる形状である形態とすることができる。封止部材の断面形状をこのような形状とすることで、水分保持部材を少なくとも第２電極上に配置し、水分保持部材から延在する水分保持部材延在部を封止部材上に配置するとき、水分保持部材の下に気泡が混入するといった問題の発生を回避することができる。封止部材のこのような断面形状は、例えば、印刷法に基づく封止部材の形成、メタルマスクを用いたスパッタリング法に基づく封止部材の形成といった種々の方法に基づき形成することができる。
【００２６】
更には、水分保持部材を構成する材料（具体的には、樹脂）のヤング率は１×１０6Ｐａ以下であることが望ましく、これによって、調光装置の内部において生じた各種の段差を吸収することができるし、調光装置中央部における水分保持部材の厚さのバラツキ、水分保持部材延在部の厚さのバラツキを小さくすることができる結果（即ち、第１基板と第２基板との間の距離全体の均一化を図ることができる結果）、視認性の劣化発生を防ぐことができる。具体的には、調光装置を通して外界を見たとき、外界の像に歪みが生じたり、外界の像にズレが生じることを抑制することができる。
【００２７】
水分保持部材を少なくとも第２電極上に配置し、水分保持部材から延在する水分保持部材延在部を封止部材上に配置するが、具体的には、例えば、水分保持部材を第２電極に接着し、あるいは、貼り合わせ、水分保持部材延在部を封止部材に接着し、あるいは、貼り合わせればよい。また、水分保持部材及び水分保持部材延在部の上に第２基板を配置するが、具体的には、例えば、第２基板を水分保持部材及び水分保持部材延在部に接着し、あるいは、貼り合わせればよい。
【００２８】
更には、各種の好ましい形態を含む本開示の第１の態様あるいは第２の態様に係る調光装置等において、第１基板及び第２基板はプラスチック材料から成ることが好ましい。即ち、第１基板及び第２基板は、プラスチック基板、プラスチック・シート、プラスチック・フィルムから成る形態とすることができる。第１基板及び第２基板をプラスチック材料から構成すると、屡々、第１基板及び第２基板の反りや平滑性に起因して、調光層を構成する各層の均一な成膜が困難となり、膜厚分布やラフネスにバラツキが発生し易いが、［Ｒｅ］／［Ｏｘ］の値が規定されており、あるいは又、ＴRe／ＴOxの値が規定されているので、第１基板及び第２基板をプラスチック材料から構成する場合にこれらの問題が発生しても何ら問題が無い。
【００２９】
ここで、プラスチックとして、ポリエチレンテレフタレート、ポリエチレンナフタレート、ポリカーボネート、酢酸セルロース等のセルロースエステル、ポリフッ化ビニリデンあるいはポリテトラフルオロエチレンとヘキサフルオロプロピレンとの共重合体等のフッ素ポリマー、ポリオキシメチレン等のポリエーテル、ポリアセタール、ポリスチレン、ポリエチレン、ポリプロピレン、メチルペンテンポリマー等のポリオレフィン、ポリアミドイミドあるいはポリエーテルイミド等のポリイミド、ポリアミド、ポリエーテルサルフォン、ポリフェニレンサルファイド、ポリフッ化ビニリデン、テトラアセチルセルロース、ブロム化フェノキシ、ポリアリレート、ポリスルフォン等を挙げることができる。尚、必要に応じて、後述するように、第２基板に無機材料膜を設ければよく、これによって、第２基板に剛性を付与することができ、調光装置の組立時、第２基板に歪みが生じ難くなる。あるいは又、第１基板及び第２基板は、ソーダライムガラス、白板ガラス等の透明なガラス基板から構成することもできる。
【００３０】
更には、以上に説明した好ましい形態、構成を含む本開示の第１の態様あるいは第２の態様に係る調光装置等（以下、これらを総称して、『本開示の調光装置等』と呼ぶ場合がある）において、調光装置は湾曲している形態とすることができ、これによって、画像表示装置あるいは表示装置へ調光装置を容易に、且つ、確実に装着させることができる。
【００３１】
第２基板は、例えば、保護基板としての機能も有する。第１基板は、隙間を開けた状態で、光学装置に対向しており、あるいは又、隙間の無い状態で、光学装置に対向しており、あるいは又、光学装置を構成する部材（例えば、光学装置に備えられた保護部材）を兼用している。第２基板の外面には、有機／無機混合層から成るハードコート層や、フッ素系樹脂から成る反射防止膜を形成してもよい。
【００３２】
更には、以上に説明した好ましい形態、構成を含む本開示の調光装置等において、水分保持部材と対向する第２基板の面には無機材料膜が形成されている形態とすることができる。ここで、無機材料膜は、例えば、酸化アルミニウム、酸化ケイ素、窒化ケイ素、酸化ニオブ等の無機材料から成る。無機材料膜を形成することで、第２基板に剛性を付与することができる結果、第２基板に歪みが生じ難くなる。無機材料膜の形成は、例えば、ＰＶＤ法やＣＶＤ法、レーザーアブレーション法、原子層堆積法（ＡＬＤ法）に基づき行うことができる。
【００３３】
遮光率の制御は、例えば、単純マトリクス方式に基づき行うことができる。即ち、
第１電極は、第１の方向に延びる複数の帯状の第１電極セグメントから構成されており、
第２電極は、第１の方向とは異なる第２の方向に延びる複数の帯状の第２電極セグメントから構成されており、
第１電極セグメントと第２電極セグメントの重複領域（調光装置の遮光率が変化する最小単位領域）に対応する調光装置の部分の遮光率の制御は、第１電極セグメント及び第２電極セグメントに印加する電圧の制御に基づき行われる形態とすることができる。第１の方向と第２の方向とは直交している形態を例示することができる。あるいは又、調光装置の遮光率が変化する最小単位領域の遮光率の制御のために、最小単位領域のそれぞれに薄膜トランジスタ（ＴＦＴ）を設けてもよい。即ち、遮光率の制御をアクティブマトリクス方式に基づき行ってもよい。あるいは又、第１電極及び第２電極の少なくとも一方を所謂ベタ電極（パターニングされていない電極）とすることもできる。
【００３４】
第１電極は、パターニングされていてもよいし、パターニングされていなくともよい。第２電極も、パターニングされていてもよいし、パターニングされていなくともよい。第１電極及び第２電極を構成する材料として、透明導電材料、より具体的には、インジウム−スズ複合酸化物（ＩＴＯ，Indium Tin Oxide，ＳｎドープのＩｎ2Ｏ3、結晶性ＩＴＯ及びアモルファスＩＴＯを含む）、フッ素ドープＳｎＯ2（ＦＴＯ）、ＩＦＯ（ＦドープのＩｎ2Ｏ3）、アンチモンドープＳｎＯ2（ＡＴＯ）、ＳｎＯ2、ＺｎＯ（ＡｌドープのＺｎＯやＢドープのＺｎＯを含む）、インジウム−亜鉛複合酸化物（ＩＺＯ，Indium Zinc Oxide）、スピネル型酸化物、ＹｂＦｅ2Ｏ4構造を有する酸化物、ポリアニリン、ポリピロール、ポリチオフェン等の導電性高分子等を挙げることができるが、これらに限定されるものではなく、また、これらを２種類以上組み合わせて用いることもできる。あるいは又、細線状の第１電極及び第２電極を、金、銀、銅、アルミニウム、ニッケル、チタン等の金属、あるいは、合金から構成することができる。補助電極は、例えば、金、銀、銅、アルミニウム、ニッケル、チタン等の金属、あるいは、これらの合金から構成することができるし、あるいは又、補助電極は、銀ペーストや銅ペーストを用いて形成することもできる。補助電極（第１補助電極及び第２補助電極）は、第１電極及び第２電極よりも電気抵抗が低いことが要求される。第１電極及び第２電極、補助電極（第１補助電極及び第２補助電極）は、真空蒸着法やスパッタリング法等の各種ＰＶＤ法、各種ＣＶＤ法、各種塗布等、各種印刷法に基づき形成することができる。電極のパターニングは、エッチング法、リフトオフ法、各種マスクを用いる方法等、任意の方法で行うことができる。
【００３５】
更には、以上に説明した好ましい形態を含む本開示の画像表示装置、以上に説明した好ましい形態を含む本開示の表示装置において、光学装置は、
（ｂ−１）画像形成装置から入射された光が内部を全反射により伝播した後、観察者に向けて出射される導光板、
（ｂ−２）導光板に入射された光が導光板の内部で全反射されるように、導光板に入射された光を偏向する第１偏向手段、及び、
（ｂ−３）導光板の内部を全反射により伝播した光を偏向して導光板から出射させる第２偏向手段、
を備えており、
第２偏向手段によって光学装置の虚像形成領域が構成される形態とすることができる。このような光学装置を、便宜上、『第１構造の光学装置』と呼ぶ。尚、「全反射」という用語は、内部全反射、あるいは、導光板内部における全反射を意味する。調光装置の射影像内に第２偏向手段（虚像形成領域）が位置する場合もあるし、第２偏向手段（虚像形成領域）の射影像内に調光装置が位置する場合もある。
【００３６】
調光装置において遮光率の値を高くする領域は、調光装置の全部の領域であってもよいし、調光装置の一部の領域であってもよい。即ち、実際に虚像が形成される第２偏向手段の領域（例えば、第２偏向手段の一部の領域）に対向した調光装置の領域の遮光率を制御してもよい。云い換えれば、画像形成装置から出射される光に基づき虚像形成領域の一部分において虚像が形成されるとき、調光装置への虚像の投影像が含まれる調光装置の虚像投影領域（光学装置における虚像形成領域に対応した調光装置の領域）の遮光率が、調光装置の他の領域の遮光率よりも高くなるように、調光装置が制御してもよい。尚、調光装置において虚像投影領域の位置は固定されたものでなく、虚像の形成位置に依存して変化し、また、虚像投影領域の数も、虚像の数（あるいは一連の虚像群の数、ブロック化された虚像群の数等）に依存して変化する形態とすることもできる。
【００３７】
調光装置の動作時、調光装置の他の領域の遮光率は、調光装置への虚像の投影像が含まれる調光装置の虚像投影領域の遮光率を「１」としたとき、例えば、０．９５以下とすることができる。あるいは又、調光装置の他の領域の遮光率は、例えば、３０％以下とすることができる。一方、調光装置の動作時、調光装置の虚像投影領域の遮光率は、３５％乃至９９％、例えば、８０％とすることができる。このように、虚像投影領域の遮光率は、一定であってもよいし、表示装置の置かれた環境の照度に依存して変化させてもよい。
【００３８】
以上に説明した各種の好ましい形態を含む本開示の表示装置（以下、これらを総称して、『本開示の表示装置等』と呼ぶ場合がある）において、フレームは、観察者の正面に配置されるフロント部、フロント部の両端に蝶番を介して回動自在に取り付けられた２つのテンプル部、及び、ノーズパッドを備えており、調光装置はフロント部に配設されている形態とすることができ、この場合、光学装置は、調光装置に取り付けられている形態とすることができる。あるいは又、光学装置は、フロント部に取り付けられている形態とすることができ、この場合、調光装置は、光学装置に取り付けられている形態とすることができる。更には、これらの場合、フロント部はリム部を有し、調光装置はリム部に嵌め込まれている形態とすることができ、あるいは又、光学装置はリム部に嵌め込まれている形態とすることができ、この場合、光学装置を、水蒸気を透過し得る接着剤を用いてリム部に固定してもよい。あるいは又、調光装置と光学装置との間の空間は外部と連通している形態とすることができる。本開示の表示装置等において、観察者側から、光学装置、調光装置の順に配してもよいし、調光装置、光学装置の順に配してもよい。
【００３９】
水蒸気を透過し得る接着剤として、水蒸気拡散性の高いシリコーン系やエチレンビニルアルコール系コポリマー、スチレン系ブタジエン等の非極性材料を主剤とした接着剤を挙げることができ、係る接着剤の水分透過率の値として、２×１０グラム／ｍ2・日乃至１．１×１０3グラム／ｍ2・日を例示することができる。尚、水分透過率の測定は、ＪＩＳ  Ｋ７１２９：２００８に基づいて行うことができ、５０ｍｍ×５０ｍｍの試験片に対して、試験温度２５゜Ｃ±０．５゜Ｃ、相対湿度９０±２％の条件下、試験を実施する。測定は乾湿センサを用いて行う。
【００４０】
本開示の表示装置等において、遮光率は、徐々に変化してもよいし（即ち、連続的に変化してもよいし）、電極の配置状態、形状に依っては、階段状に変化する構成とすることもできるし、一定の値から連続的にあるいは階段状に変化する構成とすることもできる。即ち、調光装置を、色のグラデーションが付いた状態としてもよいし、段階的に色が変化する状態とすることもできるし、一定の色が付いた状態から連続的にあるいは段階的に色が変化する状態とすることもできる。遮光率は、第１電極及び第２電極に印加する電圧によって制御することができる。第１電極と第２電極との間の電位差を制御してもよいし、第１電極に印加する電圧と第２電極に印加する電圧とを独立に制御してもよい。遮光率の調整を行う場合、光学装置にテストパターンを表示してもよい。
【００４１】
本開示の表示装置等において、表示装置の置かれた環境の照度を測定する環境照度測定センサを更に備えており、環境照度測定センサの測定結果に基づき、調光装置の遮光率を制御する形態とすることができる。あるいは又、表示装置の置かれた環境の照度を測定する環境照度測定センサを更に備えており、環境照度測定センサの測定結果に基づき、画像形成装置によって形成される画像の輝度を制御する形態とすることができる。これらの形態を組み合わせてもよい。
【００４２】
あるいは又、外部環境から調光装置を透過した光に基づく照度を測定する透過光照度測定センサを更に備えており、透過光照度測定センサの測定結果に基づき、調光装置の遮光率を制御する形態とすることができる。あるいは又、外部環境から調光装置を透過した光に基づく照度を測定する透過光照度測定センサを更に備えており、透過光照度測定センサの測定結果に基づき、画像形成装置によって形成される画像の輝度を制御する形態とすることができる。透過光照度測定センサは、光学装置よりも観察者側に配置されている形態とすることが望ましい。透過光照度測定センサを、少なくとも２つ、配置し、高遮光率の部分を通過した光に基づく照度の測定、低遮光率の部分を通過した光に基づく照度の測定を行ってもよい。これらの形態を組み合わせてもよい。更には、これらの形態と、上記の環境照度測定センサの測定結果に基づき制御を行う形態とを組み合わせてもよい。
【００４３】
照度センサ（環境照度測定センサ、透過光照度測定センサ）は、周知の照度センサから構成すればよいし、照度センサの制御は周知の制御回路に基づき行えばよい。
【００４４】
調光装置の最高光透過率は５０％以上であり、調光装置の最低光透過率は３０％以下である構成とすることができる。調光装置の最高光透過率の上限値として９９％を挙げることができるし、調光装置の最低光透過率の下限値として１％を挙げることができる。ここで、
（光透過率）＝１−（遮光率）
の関係にある。
【００４５】
調光装置にコネクタを取り付け、調光装置の遮光率（光透過率）を制御するための制御回路（例えば、画像形成装置を制御するための制御装置に含まれている）にこのコネクタ及び配線を介して調光装置を電気的に接続すればよい。
【００４６】
場合によっては、調光装置を通過する光は、調光装置によって所望の色に着色される構成とすることができる。そして、この場合、調光装置によって着色される色は可変である形態とすることができるし、あるいは又、調光装置によって着色される色は固定である形態とすることができる。前者の場合、例えば、赤色に着色される調光装置と、緑色に着色される調光装置と、青色に着色される調光装置とを積層する形態とすればよい。また、後者の場合、調光装置によって着色される色として、限定するものではないが、青色や茶色を例示することができる。
【００４７】
更には、場合によっては、調光装置が着脱自在に配設されている形態とすることができる。調光装置を着脱自在に配設するためには、例えば、透明なプラスチックから作製されたビスを用いて調光装置を例えばフレームに取り付け、あるいは又、フレームに溝を切っておき、この溝に調光装置を係合させ、あるいは又、フレームに磁石を取り付けることで調光装置をフレームに取り付けることができるし、フレームにスライド部を設け、このスライド部に調光装置を嵌め込んでもよい。
【００４８】
光学装置は半透過型（シースルー型）である。具体的には、少なくとも観察者の眼球（瞳）に対向する光学装置の部分を半透過（シースルー）とし、光学装置のこの部分及び調光装置を通して外景を眺めることができる。観察者が、調光装置及び光学装置を通過した光の明るさを観察し、観察者が、スイッチやボタン、ダイアル、スライダ、ノブ等を操作することで手動にて遮光率を制御、調整することができるし、あるいは又、前述した外部環境から調光装置を透過した光に基づく照度を測定する透過光照度測定センサの測定結果に基づき、遮光率を制御、調整することができる。遮光率の制御、調整は、具体的には、第１電極及び第２電極に印加する電圧を制御すればよい。透過光照度測定センサを、少なくとも２つ、配置し、高遮光率の部分を通過した光に基づく照度の測定、低遮光率の部分を通過した光に基づく照度の測定を行ってもよい。表示装置は、画像表示装置を１つ備えていてもよいし（片眼型）、２つ備えていてもよい（両眼型）。画像表示装置を２つ備えている場合、一方の調光装置と他方の調光装置のそれぞれにおいて、第１電極及び第２電極に印加する電圧を調整することで、一方の調光装置における遮光率及び他方の調光装置における遮光率の均等化を図ることができる。一方の調光装置における遮光率及び他方の調光装置における遮光率は、例えば、前述した外部環境から調光装置を透過した光に基づく照度を測定する透過光照度測定センサの測定結果に基づき、制御することができるし、あるいは又、観察者が、一方の調光装置及び光学装置を通過した光の明るさ及び他方の調光装置及び光学装置を通過した光の明るさを観察し、観察者が、スイッチやボタン、ダイアル、スライダ、ノブ等を操作することで手動にて制御、調整することもできる。遮光率の調整を行う場合、光学装置にテストパターンを表示してもよい。
【００４９】
本明細書において、「半透過」という用語を用いる場合があるが、入射する光の１／２（５０％）を透過し、あるいは反射することを意味するのではなく、入射する光の一部を透過し、残部を反射するといった意味で用いている。
【００５０】
第１構造の光学装置において、前述したとおり、第１偏向手段は、導光板に入射された光を反射し、第２偏向手段は、導光板の内部を全反射により伝播した光を、（複数回に亙り）透過、反射する構成とすることができる。そして、この場合、第１偏向手段は反射鏡として機能し、第２偏向手段は半透過鏡として機能する構成とすることができる。このような第１構造の光学装置を、便宜上、『第１−Ａ構造の光学装置』と呼ぶ。
【００５１】
このような第１−Ａ構造の光学装置において、第１偏向手段は、例えば、合金を含む金属から構成され、導光板に入射された光を反射させる光反射膜（一種のミラー）や、導光板に入射された光を回折させる回折格子（例えば、ホログラム回折格子膜）から構成することができる。あるいは又、第１偏向手段は、例えば、誘電体積層膜が多数積層された多層積層構造体、ハーフミラー、偏光ビームスプリッターから構成することができる。また、第２偏向手段は、誘電体積層膜が多数積層された多層積層構造体や、ハーフミラー、偏光ビームスプリッター、ホログラム回折格子膜から構成することができる。そして、第１偏向手段や第２偏向手段は、導光板の内部に配設されている（導光板の内部に組み込まれている）が、第１偏向手段においては、導光板に入射された平行光が導光板の内部で全反射されるように、導光板に入射された平行光が反射又は回折される。一方、第２偏向手段においては、導光板の内部を全反射により伝播した平行光が、（複数回に亙り）反射又は回折され、導光板から平行光の状態で出射される。
【００５２】
あるいは又、第１偏向手段は、導光板に入射された光を回折反射し、第２偏向手段は、導光板の内部を全反射により伝播した光を回折反射する構成とすることができる。そして、この場合、第１偏向手段及び第２偏向手段は回折格子素子から成る形態とすることができ、更には、回折格子素子は、反射型回折格子素子から成り、あるいは又、透過型回折格子素子から成り、あるいは又、一方の回折格子素子は反射型回折格子素子から成り、他方の回折格子素子は透過型回折格子素子から成る構成とすることができる。反射型回折格子素子として、反射型体積ホログラム回折格子を挙げることができる。反射型体積ホログラム回折格子とは、＋１次の回折光のみを回折反射するホログラム回折格子を意味する。ホログラム回折格子から成る第１偏向手段を、便宜上、『第１回折格子部材』と呼び、ホログラム回折格子から成る第２偏向手段を、便宜上、『第２回折格子部材』と呼ぶ場合がある。また、このような第１構造の光学装置を、便宜上、『第１−Ｂ構造の光学装置』と呼ぶ。
【００５３】
第１−Ｂ構造の光学装置において、第１偏向手段から出射された光が入射する第３偏向手段を配設してもよい。そして、第３偏向手段から出射された光が第２偏向手段に入射する。ここで、第１偏向部材、第２偏向部材及び第３偏向部材は、体積ホログラム回折格子から成り、第１偏向部材の有する波数ベクトルを導光板に射影したときに得られる波数ベクトルをｋv1、第２偏向部材の有する波数ベクトルを導光板に射影したときに得られる波数ベクトルをｋv2、第３偏向部材の有する波数ベクトルを導光板に射影したときに得られる波数ベクトルをｋv3としたとき、
ｋv1＋ｋv2＋ｋv3＝０
を満足することが好ましい。
【００５４】
本開示の表示装置等における画像表示装置によって、単色（例えば、緑色）の画像表示を行うことができる。そして、この場合、例えば、画角を例えば二分割（より具体的には、例えば二等分割）して、第１偏向手段は、二分割された画角群のそれぞれに対応する２つの回折格子部材が積層されて成る構成とすることができる。あるいは又、カラーの画像表示を行う場合、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、ホログラム回折格子から成るＰ層の回折格子層が積層されて成る構成とすることができる。各回折格子層には１種類の波長帯域（あるいは、波長）に対応する干渉縞が形成されている。あるいは又、異なるＰ種類の波長帯域（あるいは、波長）を有するＰ種類の光の回折反射に対応するために、１層の回折格子層から成る第１回折格子部材あるいは第２回折格子部材にＰ種類の干渉縞が形成されている構成とすることもできる。あるいは又、例えば、第１導光板に、赤色の波長帯域（あるいは、波長）を有する光を回折反射させるホログラム回折格子から成る回折格子層から構成された回折格子部材を配し、第２導光板に、緑色の波長帯域（あるいは、波長）を有する光を回折反射させるホログラム回折格子から成る回折格子層から構成された回折格子部材を配し、第３導光板に、青色の波長帯域（あるいは、波長）を有する光を回折反射させるホログラム回折格子から成る回折格子層から構成された回折格子部材を配し、これらの第１導光板、第２導光板及び第３導光板を隙間を開けて積層する構造を採用してもよい。あるいは又、画角を例えば三等分して、第１回折格子部材あるいは第２回折格子部材を、各画角に対応する回折格子層が積層されて成る構成とすることができる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。観察者がホログラム回折格子に触れないように、保護部材を配することが好ましい。
【００５５】
第１回折格子部材及び第２回折格子部材を構成する材料として、フォトポリマー材料を挙げることができる。ホログラム回折格子から成る第１回折格子部材及び第２回折格子部材の構成材料や基本的な構造は、従来のホログラム回折格子の構成材料や構造と同じとすればよい。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材（あるいは回折格子層）の表面と干渉縞の成す角度を意味する。第１回折格子部材及び第２回折格子部材を、ホログラム回折格子から成るＰ層の回折格子層の積層構造から構成する場合、このような回折格子層の積層は、Ｐ層の回折格子層をそれぞれ別個に作製した後、Ｐ層の回折格子層を、例えば、紫外線硬化型接着剤を使用して積層（接着）すればよい。また、粘着性を有するフォトポリマー材料を用いて１層の回折格子層を作製した後、その上に順次粘着性を有するフォトポリマー材料を貼り付けて回折格子層を作製することで、Ｐ層の回折格子層を作製してもよい。作製された回折格子層に、必要に応じてエネルギー線を照射することで、回折格子層の物体光及び参照光の照射時に重合せずに残ったフォトポリマー材料中のモノマーを重合させて、定着させてもよい。また、必要に応じて、熱処理を行い、安定化させてもよい。
【００５６】
あるいは又、本開示の表示装置等における画像表示装置において、光学装置は、画像形成装置から出射された光が入射され、観察者の瞳に向かって出射する半透過ミラーから構成されている形態とすることができるし、偏光ビームスプリッター（ＰＢＳ）から構成されている形態とすることができる。半透過ミラーあるいは偏光ビームスプリッターによって光学装置の虚像形成領域が構成される。画像形成装置から出射された光は、空気中を伝播して半透過ミラーあるいは偏光ビームスプリッターに入射する構造としてもよいし、例えば、ガラス板やプラスチック板等の透明な部材（具体的には、後述する導光板を構成する材料と同様の材料から成る部材）の内部を伝播して半透過ミラーあるいは偏光ビームスプリッターに入射する構造としてもよい。半透過ミラーあるいは偏光ビームスプリッターを、この透明な部材を介して画像形成装置に取り付けてもよいし、半透過ミラーあるいは偏光ビームスプリッターを、この透明な部材とは別の部材を介して画像形成装置に取り付けてもよい。このような光学装置を、便宜上、『第２構造の光学装置』と呼ぶ。半透過ミラーとして、第１−Ａ構造の光学装置における第１偏向手段、例えば、合金を含む金属から構成され、光を反射させる光反射膜（一種のミラー）や、回折格子（例えば、ホログラム回折格子膜）から構成することができる。あるいは又、光学装置は、画像形成装置から出射された光が入射され、観察者の瞳に向かって出射されるプリズムから構成されている形態とすることができる。
【００５７】
以上に説明した各種の好ましい形態、構成を含む本開示の表示装置等における画像表示装置において、画像形成装置は、２次元マトリクス状に配列された複数の画素を有する形態とすることができる。このような画像形成装置の構成を、便宜上、『第１構成の画像形成装置』と呼ぶ。
【００５８】
第１構成の画像形成装置として、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）、半導体レーザ素子等の発光素子から構成された画像形成装置を挙げることができるが、中でも、有機ＥＬ発光素子から構成された画像形成装置（有機ＥＬ表示装置）、反射型空間光変調装置及び光源から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させて光学装置（例えば、導光板）へと導く偏光ビームスプリッターから成る構成とすることができる。光源を構成する発光素子として、赤色発光素子、緑色発光素子、青色発光素子、白色発光素子を挙げることができる。あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、１０２４×７６８、１９２０×１０８０等を例示することができる。第１構成の画像形成装置にあっては、レンズ系（後述する）の前方焦点（画像形成装置側の焦点）の位置に絞りが配置されている形態とすることができ、この絞りが、画像形成装置から画像が出射される画像出射部に該当する。
【００５９】
あるいは又、以上に説明した好ましい形態、構成を含む本開示の表示装置等における画像表示装置において、画像形成装置は、光源、及び、光源から出射された光を走査して画像を形成する走査手段を備えている形態とすることができる。このような画像形成装置を、便宜上、『第２構成の画像形成装置』と呼ぶ。
【００６０】
第２構成の画像形成装置における光源として発光素子を挙げることができ、具体的には、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。第２構成の画像形成装置における画素（仮想の画素）の数も、画像表示装置に要求される仕様に基づき決定すればよく、画素（仮想の画素）の数の具体的な値として、３２０×２４０、４３２×２４０、６４０×４８０、１０２４×７６８、１９２０×１０８０等を例示することができる。また、カラーの画像表示を行う場合であって、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）ミラーやガルバノ・ミラーを挙げることができる。第２構成の画像形成装置にあっては、レンズ系（後述する）の前方焦点（画像形成装置側の焦点）の位置にＭＥＭＳミラーやガルバノ・ミラーが配置されている形態とすることができ、これらのＭＥＭＳミラーやガルバノ・ミラーが、画像形成装置から画像が出射される画像出射部に該当する。
【００６１】
第１構造の光学装置を備えた画像表示装置における第１構成の画像形成装置あるいは第２構成の画像形成装置において、レンズ系（出射光を平行光とする光学系）にて複数の平行光とされた光を光学装置（例えば、導光板）に入射させるが、このような、平行光であることの要請は、これらの光が光学装置へ入射したときの光波面情報が、第１偏向手段と第２偏向手段を介して光学装置から出射された後も保存される必要があることに基づく。複数の平行光を生成させるためには、具体的には、上述したとおり、例えば、レンズ系における焦点距離の所（位置）に画像形成装置の光出射部を位置させればよい。レンズ系は、画素の位置情報を光学装置における角度情報に変換する機能を有する。レンズ系として、凸レンズ、凹レンズ、自由曲面プリズム、ホログラムレンズを、単独、若しくは、組み合わせた、全体として正の光学的パワーを持つ光学系を例示することができる。レンズ系と光学装置との間には、レンズ系から不所望の光が出射されて光学装置に入射しないように、開口部を有する遮光部を配置してもよい。
【００６２】
導光板は、導光板の軸線（長手方向、水平方向であり、Ｘ方向に該当する）と平行に延びる２つの平行面（第１面及び第２面）を有している。導光板の幅方向（高さ方向、垂直方向）はＹ方向に該当する。光が入射する導光板の面を導光板入射面、光が出射する導光板の面を導光板出射面としたとき、第１面によって導光板入射面及び導光板出射面が構成されていてもよいし、第１面によって導光板入射面が構成され、第２面によって導光板出射面が構成されていてもよい。第１偏向手段は、導光板の第１面又は第２面上に配置されており、第２偏向手段は、導光板の第１面又は第２面上に配置されている。回折格子部材の干渉縞は、概ねＹ方向と平行に延びる。導光板を構成する材料として、石英ガラスやＢＫ７等の光学ガラス、ソーダライムガラス、白板ガラスを含むガラスや、プラスチック材料（例えば、ＰＭＭＡ、ポリカーボネート樹脂、ポリカーボネート樹脂とアクリル系樹脂の積層構造、アクリル系樹脂、シクロオレフィンポリマー、非晶性のポリプロピレン系樹脂、ＡＳ樹脂を含むスチレン系樹脂）を挙げることができる。導光板の形状は、平板に限定するものではなく、湾曲した形状を有していてもよい。前述したとおり、調光装置を湾曲させてもよい。
【００６３】
本開示の表示装置等において、画像形成装置から出射された光が入射される光学装置の領域には、光学装置への外光の入射を遮光する遮光部材が配されている構成とすることができる。画像形成装置から出射された光が入射される光学装置の領域に、光学装置への外光の入射を遮光する遮光部材を配することで、調光装置の作動によって外光の入射光量に変化が生じても、そもそも、画像形成装置から出射された光が入射される光学装置の領域には外光が入射しないので、不所望の迷光等が発生し、表示装置における画像表示品質が低下するといったことが無い。遮光部材の光学装置への射影像内に、画像形成装置から出射された光が入射される光学装置の領域が含まれる形態とすることが好ましい。
【００６４】
あるいは又、本開示の表示装置等において、画像形成装置から出射された光が入射される第１偏向手段の領域には、第１偏向手段への外光の入射を遮光する遮光部材が配置されている構成とすることができる。画像形成装置から出射された光が入射される導光板の領域に、導光板への外光の入射を遮光する遮光部材を配置することで、画像形成装置から出射された光が入射される導光板の領域には外光が入射しないので、不所望の迷光等が発生し、表示装置における画像表示品質が低下するといったことが無い。遮光部材の導光板への正射影像内に、画像形成装置から出射された光が入射される導光板の領域が含まれる形態とすることが好ましい。
【００６５】
遮光部材は、光学装置（導光板）の画像形成装置が配された側とは反対側に、光学装置（導光板）と離間して配されている構成とすることができる。このような構成の表示装置にあっては、遮光部材を、例えば、不透明なプラスチック材料から作製すればよく、このような遮光部材は、画像形成装置の筐体から一体に延び、あるいは又、画像形成装置の筐体に取り付けられ、あるいは又、フレームから一体に延び、あるいは又、フレームに取り付けられている形態とすることができる。あるいは又、遮光部材は、画像形成装置が配された側とは反対側の光学装置（導光板）の部分に配されている構成とすることができるし、遮光部材は、調光装置に配されている構成とすることもできる。不透明な材料から成る遮光部材を、例えば、光学装置（導光板）の面上にＰＶＤ法やＣＶＤ法に基づき形成してもよいし、印刷法等によって形成してもよいし、不透明な材料（プラスチック材料や金属材料、合金材料等）から成るフィルムやシート、箔を貼り合わせてもよい。遮光部材の光学装置（導光板）への射影像内に、調光装置の端部の光学装置（導光板）への射影像が含まれる構成とすることが好ましい。
【００６６】
本開示の表示装置等において、フレームは、前述したとおり、観察者の正面に配置されるフロント部と、フロント部の両端に蝶番を介して回動自在に取り付けられた２つのテンプル部とから成る構成とすることができる。各テンプル部の先端部にはモダン部が取り付けられている。画像表示装置はフレームに取り付けられているが、具体的には、例えば、画像形成装置をテンプル部に取り付ければよい。また、フロント部と２つのテンプル部とが一体となった構成とすることもできる。即ち、本開示の表示装置等の全体を眺めたとき、フレームは、概ね通常の眼鏡と略同じ構造を有する。パッド部を含むフレームを構成する材料は、金属や合金、プラスチック、これらの組合せといった、通常の眼鏡を構成する材料と同じ材料から構成することができる。更には、フロント部にノーズパッドが取り付けられている構成とすることができる。即ち、本開示の表示装置等の全体を眺めたとき、フレーム（リム部を含む）及びノーズパッドの組立体は、通常の眼鏡と略同じ構造を有する。ノーズパッドも周知の構成、構造とすることができる。
【００６７】
また、本開示の表示装置等にあっては、デザイン上、あるいは、装着の容易性といった観点から、１つあるいは２つの画像形成装置からの配線（信号線や電源線等）が、テンプル部、及び、モダン部の内部を介して、モダン部の先端部から外部に延び、制御装置（制御回路あるいは制御手段）に接続されている形態とすることが望ましい。更には、各画像形成装置はヘッドホン部を備えており、各画像形成装置からのヘッドホン部用配線が、テンプル部、及び、モダン部の内部を介して、モダン部の先端部からヘッドホン部へと延びている形態とすることもできる。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。また、フロント部の中央部分にカメラ（撮像装置）が取り付けられている形態とすることもできる。カメラは、具体的には、例えば、ＣＣＤあるいはＣＭＯＳセンサから成る固体撮像素子とレンズから構成されている。カメラからの配線は、例えば、フロント部を介して、一方の画像表示装置（あるいは画像形成装置）に接続すればよく、更には、画像表示装置（あるいは画像形成装置）から延びる配線に含ませればよい。
【００６８】
本開示の表示装置にあっては、画像表示装置において画像を表示するための信号（光学装置（例えば、導光板）において虚像を形成するための信号）を外部から受け取る形態とすることができる。このような形態にあっては、画像表示装置において表示する画像に関する情報やデータは、例えば、所謂クラウドコンピュータやサーバーに記録、保管、保存されており、表示装置が通信手段、例えば、携帯電話機やスマートフォンを備えることによって、あるいは又、表示装置と通信手段とを組み合わせることによって、クラウドコンピュータやサーバーと表示装置との間での各種情報やデータの授受、交換を行うことができるし、各種情報やデータに基づく信号、即ち、画像表示装置において画像を表示するための信号（光学装置において虚像を形成するための信号）を受け取ることができる。あるいは又、画像表示装置において画像を表示するための信号（光学装置において虚像を形成するための信号）は表示装置に記憶されている形態とすることができる。画像表示装置において表示される画像には、各種情報や各種データが含まれる。あるいは又、表示装置はカメラ（撮像装置）を備えており、カメラによって撮像された画像を通信手段を介してクラウドコンピュータやサーバーに送出し、クラウドコンピュータやサーバーにおいてカメラによって撮像された画像に該当する各種情報やデータを検索し、検索された各種情報やデータを通信手段を介して表示装置に送出し、検索された各種情報やデータを画像表示装置において画像を表示してもよい。
【００６９】
カメラ（撮像装置）によって撮像された画像を通信手段を介してクラウドコンピュータやサーバーに送出する際、カメラによって撮像される画像を画像表示装置において表示し、光学装置（例えば、導光板）において確認してもよい。具体的には、カメラによって撮像される空間領域の外縁を調光装置において枠状に表示する形態とすることができる。あるいは又、カメラによって撮像される空間領域に対応する調光装置の領域の遮光率を、カメラによって撮像される空間領域の外側に対応する調光装置の領域の遮光率よりも高くする形態とすることができる。このような形態にあっては、観察者には、カメラによって撮像される空間領域は、カメラによって撮像される空間領域の外側よりも暗く見える。あるいは又、カメラによって撮像される空間領域に対応する調光装置の領域の遮光率を、カメラによって撮像される空間領域の外側に対応する調光装置の領域の遮光率よりも低くする形態とすることもできる。このような形態にあっては、観察者には、カメラによって撮像される空間領域は、カメラによって撮像される空間領域の外側よりも明るく見える。そして、これによって、カメラが外部のどこを撮像するかを観察者は、容易に、且つ、確実に認識することができる。
【００７０】
カメラ（撮像装置）によって撮像される空間領域に対応する調光装置の領域の位置を校正することができる。具体的には、表示装置が、例えば、携帯電話機やスマートフォンを備えることによって、あるいは又、表示装置と携帯電話機やスマートフォン、パーソナルコンピュータとを組み合わせることによって、携帯電話機やスマートフォン、パーソナルコンピュータにおいて、カメラによって撮像された空間領域を表示することができる。そして、携帯電話機やスマートフォン、パーソナルコンピュータにおいて表示された空間領域と、カメラによって撮像される空間領域に対応する調光装置の領域との間に差異が存在する場合、調光装置の遮光率（光透過率）を制御するための制御回路（携帯電話機やスマートフォン、パーソナルコンピュータによって代用することもできる）を用いて、カメラによって撮像される空間領域に対応する調光装置の領域を移動・回転させ、あるいは、拡大／縮小することで、携帯電話機やスマートフォン、パーソナルコンピュータにおいて表示された空間領域と、カメラによって撮像される空間領域に対応する調光装置の領域との間の差異を無くせばよい。
【００７１】
以上に説明した種々の変形例を含む本開示の表示装置は、例えば、電子メールの受信・表示、インターネット上の種々のサイトにおける各種情報等の表示、各種装置等の観察対象物の運転、操作、保守、分解時等における各種説明や、記号、符号、印、標章、図案等の表示；人物や物品等の観察対象物に関する各種説明や、記号、符号、印、標章、図案等の表示；動画や静止画の表示；映画等の字幕の表示；映像に同期した映像に関する説明文やクローズド・キャプションの表示；芝居や歌舞伎、能、狂言、オペラ、音楽会、バレー、各種演劇、遊園地（アミューズメントパーク）、美術館、観光地、行楽地、観光案内等における観察対象物に関する各種説明、その内容や進行状況、背景等を説明するための説明文等の表示に用いることができるし、クローズド・キャプションの表示に用いることができる。芝居や歌舞伎、能、狂言、オペラ、音楽会、バレー、各種演劇、遊園地（アミューズメントパーク）、美術館、観光地、行楽地、観光案内等にあっては、適切なタイミングで観察対象物に関連した画像としての文字を表示装置において表示すればよい。具体的には、例えば、映画等の進行状況に応じて、あるいは又、芝居等の進行状況に応じて、所定のスケジュール、時間配分に基づき、作業者の操作によって、あるいは、コンピュータ等の制御下、画像制御信号が表示装置に送出され、画像が表示装置にて表示される。また、各種装置、人物や物品等の観察対象物に関する各種説明の表示を行うが、カメラによって各種装置、人物や物品等の観察対象物を撮影（撮像）し、表示装置において撮影（撮像）内容を解析することで、予め作成しておいた各種装置、人物や物品等の観察対象物に関する各種説明の表示を表示装置にて行うことができる。
【００７２】
画像形成装置への画像信号には、画像信号（例えば、文字データ）だけでなく、例えば、表示すべき画像に関する輝度データ（輝度情報）、又は、色度データ（色度情報）、又は、輝度データ及び色度データを含めることができる。輝度データは、光学装置（例えば、導光板）を通して眺めた観察対象物を含む所定の領域の輝度に対応した輝度データとすることができるし、色度データは、光学装置を通して眺めた観察対象物を含む所定の領域の色度に対応した色度データとすることができる。このように、画像に関する輝度データを含めることで、表示される画像の輝度（明るさ）の制御を行うことができるし、画像に関する色度データを含めることで、表示される画像の色度（色）の制御を行うことができるし、画像に関する輝度データ及び色度データを含めることで、表示される画像の輝度（明るさ）及び色度（色）の制御を行うことができる。光学装置を通して眺めた観察対象物を含む所定の領域の輝度に対応した輝度データとする場合、光学装置を通して眺めた観察対象物を含む所定の領域の輝度の値が高くなるほど、画像の輝度の値が高くなるように（即ち、画像がより明るく表示されるように）、輝度データの値を設定すればよい。また、光学装置を通して眺めた観察対象物を含む所定の領域の色度に対応した色度データとする場合、光学装置を通して眺めた観察対象物を含む所定の領域の色度と、表示すべき画像の色度とが、おおよそ補色関係となるように色度データの値を設定すればよい。補色とは、色相環（color circle）で正反対に位置する関係の色の組み合わせ指す。赤色に対しての緑色、黄色に対しての紫色、青色に対しての橙色など、相補的な色のことでもある。或る色に別の色を適宜の割合で混合して、光の場合は白、物体の場合は黒というように、彩度低下を引き起こす色についても云うが、並列した際の視覚的効果の相補性と混合した際の相補性は異なる。余色、対照色、反対色ともいう。但し、反対色は補色が相対する色を直接に指示するのに対し、補色の指示する範囲はやや広い。補色同士の色の組み合わせは互いの色を引き立て合う相乗効果があり、これは補色調和といわれる。
【００７３】
本開示の表示装置等によって、例えば、頭部装着型ディスプレイ（ＨＭＤ）を構成することができる。そして、これによって、表示装置の軽量化、小型化を図ることができるし、表示装置装着時の不快感を大幅に軽減させることが可能となり、更には、製造コストダウンを図ることも可能となる。あるいは又、車両や航空機のコックピット等に備えられるヘッドアップディスプレイ（ＨＵＤ）に本開示の表示装置等を適用することができる。具体的には、画像形成装置から出射された光に基づき虚像が形成される虚像形成領域が車両や航空機のコックピット等のフロントガラスに配されたＨＵＤにおいて、あるいは又、画像形成装置から出射された光に基づき虚像が形成される虚像形成領域を有するコンバイナが車両や航空機のコックピット等のフロントガラスに配されたＨＵＤにおいて、係る虚像形成領域やコンバイナを調光装置の少なくとも一部分と重ならせればよい。本開示の表示装置等は、立体視ディスプレイ装置として用いることもできる。この場合、必要に応じて、光学装置（例えば、導光板）に偏光板や偏光フィルムを着脱自在に取り付け、あるいは、光学装置に偏光板や偏光フィルムを貼り合わせればよい。
【００７４】
また、本開示の第１の態様〜第２の態様に係る調光装置によってサングラスを構成することができるし、本開示の第１の態様〜第２の態様に係る調光装置を窓（住宅用だけでなく、車両用等、如何なる分野における窓をも含む）に取り付けてもよい。
【実施例１】
【００７５】
実施例１は、本開示の第１の態様及び第２の態様に係る調光装置、画像表示装置及び表示装置（具体的には、頭部装着型ディスプレイ，ＨＭＤ）に関し、具体的には、第１構造の光学装置（より具体的には、第１−Ｂ構造の光学装置）及び第１構成の画像形成装置を備えた表示装置に関する。【００７６】
実施例１の調光装置の模式的な断面図を図１Ａ及び図１Ｂに示し、第１基板等を光入射側（上方）から眺めたときの配置図を図２Ａに示し、第２基板等を光入射側（上方）から眺めたときの配置図を図２Ｂに示し、実施例１の画像表示装置の一部分をＸＺ平面で切断したときの模式的な断面図を図３Ａに示し、調光装置を正面から眺めた模式図を図３Ｂに示し、実施例１の画像表示装置の一部分を図３Ｂの矢印Ｂ−Ｂに沿って切断したときの（即ち、ＹＺ平面で切断したときの）模式的な断面図を図４Ａに示し、表示装置を側面から眺めた模式図を図４Ｂに示す。更には、実施例１の画像表示装置の概念図を図５に示し、反射型体積ホログラム回折格子の一部を拡大して示す模式的な断面図を図６に示し、実施例１の表示装置を上方から眺めた模式図を図７に示し、実施例１の表示装置を正面から眺めた模式図を図８に示す。ここで、図１Ａ及び図１Ｂは、それぞれ、図２Ａの矢印Ａ−Ａ、及び、矢印Ｂ−Ｂに沿って調光装置を切断したときの調光装置の模式的な断面図である。また、図２Ａ、図２Ｂ、図２Ｃ、図９Ｂ、図１０Ｂ、図１２Ｂ及び図１３Ｂに示す配置図においては、同じレベルにある調光装置の構成要素だけでなく、異なるレベルにある調光装置の構成要素も図示している場合がある。【００７７】
実施例１あるいは後述する実施例２〜実施例１３の画像表示装置１００，２００，３００，４００，５００は、
（ａ）画像形成装置１１０，２１０、
（ｂ）画像形成装置１１０，２１０から出射された光に基づき虚像が形成される虚像形成領域を有する光学装置１２０，３２０，５２０、及び、
（ｃ）少なくとも虚像形成領域に対向して配置され、外部から入射する外光の光量を調整する調光装置７００、
を備えている。光学装置１２０，３２０，５２０は、シースルー型（半透過型）である。また、画像形成装置１１０，２１０は、単色（例えば、青色）の画像（虚像）を表示する。【００７８】
また、実施例１あるいは後述する実施例２〜実施例８、実施例１０〜実施例１３の表示装置は、より具体的には、頭部装着型ディスプレイ（ＨＭＤ）であり、
（Ａ）観察者２０の頭部に装着されるフレーム１０（例えば、眼鏡型のフレーム１０）、及び、
（Ｂ）フレーム１０に取り付けられた画像表示装置、
を備えており、画像表示装置は、実施例１あるいは後述する実施例２〜実施例８、実施例１０〜実施例１３の画像表示装置１００，２００，３００，４００から成る。実施例の表示装置を、具体的には、２つの画像表示装置を備えた両眼型としたが、１つ備えた片眼型としてもよい。表示装置は、観察者２０の瞳２１に、直接、画像を描画する直描タイプの表示装置である。【００７９】
そして、調光装置７００は、
（ｃ−１）第１基板７１１、
（ｃ−２）第１基板７１１と対向して配設され、外光が入光する第２基板７１２、
（ｃ−３）第１基板７１１と第２基板７１２との間に設けられた発光積層体、
を備えており、
発光積層体は、第１基板側から、第１電極７３１、調光層７２０及び第２電極７３２が積層されて成り、
調光層７２０は、還元着色層７２１、電解質層７２２及び酸化着色層７２３の積層構造を有する。【００８０】
ここで、還元着色層７２１を構成する化合物において還元反応に寄与する金属の原子数を［Ｒｅ］、酸化着色層７２３を構成する化合物において酸化反応に寄与する金属の原子数を［Ｏｘ］としたとき、［Ｒｅ］／［Ｏｘ］の値は所定の範囲内にあり、あるいは又、還元着色層７２１の厚さをＴRe、酸化着色層７２３の厚さをＴOxとしたとき、ＴRe／ＴOxの値は所定の範囲内にある。尚、詳細については、後述する。【００８１】
実施例１あるいは後述する実施例２〜実施例１５において、調光装置７００は、エレクトロクロミック材料の酸化還元反応によって発生する物質の色変化を応用した光シャッタから成る。具体的には、調光層７２０はエレクトロクロミック材料を含む。即ち、調光装置７００を構成する調光層７２０は、エレクトロクロミック材料層を備えている。具体的には、調光層（エレクトロクロミック材料層）７２０は、還元着色層７２１、電解質層７２２及び酸化着色層７２３の積層構造を有する。より具体的には、第１電極７３１及び第２電極７３２は、ＩＴＯあるいはＩＺＯといった透明導電材料から成り、還元着色層７２１は酸化タングステン（ＷＯ3）から成り、電解質層７２２は酸化タンタル（Ｔａ2Ｏ5）から成り、酸化着色層７２３はイリジウム原子を含む。イリジウム原子を含む酸化着色層７２３を構成する材料として、酸化イリジウム（ＩｒＯx）系材料、具体的には、各実施例においては、酸化イリジウム錫（ＩｒyＳｎ1-yＯx）を用いた。ここで、ｙ＝０．５である。ＷＯ3層は還元発色する。また、ＩｒyＳｎ1-yＯx層は酸化発色する。【００８２】
ＩｒyＳｎ1-yＯ層中では、ＩｒとＨ2Ｏとが反応して、水酸化イリジウムＩｒ（ＯＨ）nとして存在する。第１電極７３１に負の電位を、第２電極７３２に正の電位を加えると、ＩｒyＳｎ1-yＯ層からＴａ2Ｏ5層へのプロトンＨ+の移動、第２電極７３２への電子放出が生じ、次の酸化反応が進んで、ＩｒyＳｎ1-yＯ層は着色する。
Ｉｒ（ＯＨ）n  →  ＩｒＯX（ＯＨ）n-X（着色）  ＋  Ｘ・Ｈ+  ＋  Ｘ・ｅ-【００８３】
一方、Ｔａ2Ｏ5層中のプロトンＨ+がＷＯ3層中へ移動し、第１電極７３１から電子がＷＯ3層に注入され、ＷＯ3層では、次の還元反応が進んでＷＯ3層は着色する。
ＷＯ3  ＋  Ｘ・Ｈ+  ＋  Ｘ・ｅ-  →  ＨXＷＯ3（着色）【００８４】
これとは逆に、第１電極７３１に正の電位を、第２電極７３２に負の電位を加えると、ＩｒyＳｎ1-yＯ層では、上記と逆向きに還元反応が進み、消色し、ＷＯ3層では、上記と逆向きに酸化反応が進み、消色する。Ｔａ2Ｏ5層にはＨ2Ｏが含まれており、第１電極７３１、第２電極７３２に電圧を印加することで電離し、プロトンＨ+、ＯＨ-イオンの状態が含まれ、着色反応及び消色反応に寄与している。【００８５】
第１基板７１１及び第２基板７１２はプラスチック材料から成る。具体的には、第１基板７１１及び第２基板７１２は、例えば、厚さ０．３ｍｍのポリカーボネート樹脂から成る。第２基板７１２の外面には、アクリル変性コロイダルシリカ粒子とフェニルケトン系及びアクリレート系の有機物及びメチルエチルケトンから成るハードコート層（図示せず）が形成されている。【００８６】
図３Ａに示すように、例えば、調光装置７００の縁部はフレーム１０（具体的には、例えば、リム部１１’）に接着剤７３７を用いて固定（接着）されている。後述する導光板１２１，３２１の縁部も、フレーム１０（具体的には、リム部１１’）に接着剤７３８を用いて固定（接着）されている。接着剤７３７は、水蒸気を透過し得る接着剤から成る。【００８７】
実施例１あるいは後述する実施例２〜実施例１５において、光学装置１２０，３２０，５２０は、一種の光シャッタである調光装置７００の少なくとも一部分と重なっている。具体的には、図３Ａ及び図３Ｂに示す例では、光学装置１２０，３２０，５２０は、調光装置７００と重なっている。即ち、導光板１２１，３２１と第１基板７１１及び第２基板７１２とは、同形（あるいは、略同形）の外形形状を有する。調光装置７００は、導光板１２１，３２１の大部分と重なっている。但し、これに限定するものではなく、光学装置１２０，３２０，５２０は、調光装置７００の一部分と重なっていてもよいし、調光装置７００は、光学装置１２０，３２０，５２０の一部分と重なっていてもよい。また、観察者側から、光学装置１２０，３２０，５２０、調光装置７００の順に配されているが、調光装置７００、光学装置１２０，３２０，５２０の順に配してもよい。図面を簡素化するため、図２Ａ及び図２Ｂにおける第１基板や第２基板の外形形状と、図３Ｂに示した調光装置の外形形状とを異なった形状として表示したが、実際には、調光装置は、例えば、図３Ｂに示した外形形状を有する。【００８８】
また、少なくとも第２電極７３２と第２基板７１２との間には水分保持部材７４１が配設されている。そして、水分保持部材７４１の端面は外部に露出している。調光装置７００の端部（側面）の少なくとも一部は、第１基板側から、封止部材７３３，７３４，７３５，７３６及び水分保持部材から構成されている。即ち、調光装置７００の端部の少なくとも一部は、第１基板側から、封止部材７３３，７３４，７３５，７３６、及び、水分保持部材７４１から延在する水分保持部材延在部７４３の積層構造から構成されている。封止部材７３３，７３４，７３５，７３６は、第１基板７１１の縁部に設けられている。【００８９】
そして、第２電極７３２は、調光層７２０上から第１基板７１１上に亙り、且つ、第１電極７３１と離間して形成されており、水分保持部材７４１は、少なくとも第２電極７３２及び調光層７２０を覆っている。即ち、第１電極７３１は第１基板７１１上に形成されており、調光層７２０は第１電極７３１上に形成されており、第２電極７３２は少なくとも調光層７２０上に形成されており、水分保持部材７４１は、少なくとも第２電極７３２を覆い、第２基板７１２と対向している。封止部材７３３，７３４と第２基板との間には、水分保持部材７４１から延在する水分保持部材延在部７４３が配設されている。更には、封止部材７３３，７３４，７３５，７３６の一部７３３，７３４は銅（Ｃｕ）から成る補助電極から構成されている。また、封止部材７３３，７３４，７３５，７３６の残部７３５，７３６は、樹脂、具体的には、アクリル系接着剤から成る。補助電極は、第１電極７３１上に形成された第１補助電極７３３、及び、第２電極７３２上に第１補助電極７３３と離間して形成された第２補助電極７３４から構成されている。封止部材７３３、７３４、７３５，７３６及び水分保持部材延在部７４３によって、調光装置７００の側壁が構成される。また、封止部材７３３，７３４，７３５，７３６は、隙間無く設けられている。【００９０】
水分保持部材７４１及び水分保持部材延在部７４３を構成する材料（具体的には、樹脂）のヤング率は１×１０6Ｐａ以下であることが望ましい。プロトン供給部材、水分を保持し得る透明粘着部材、あるいは、水分を保持し得る透明封止部材と呼ぶこともできる水分保持部材７４１及び水分保持部材延在部７４３を構成する樹脂は、アクリル系樹脂、シリコーン系樹脂又はウレタン系樹脂から、適宜、選択すればよく、実施例１あるいは後述する実施例２〜実施例１５にあっては、具体的には、アクリル系樹脂から構成されている。【００９１】
このように、ヤング率が１×１０6Ｐａ以下である材料から水分保持部材７４１及び水分保持部材延在部７４３を構成することで、調光装置の内部において生じた各種の段差を吸収することができるし、調光装置中央部における水分保持部材７４２の厚さのバラツキ、水分保持部材延在部７４３の厚さのバラツキを小さくすることができる。即ち、第１基板と第２基板との間の距離全体の均一化を図ることができる。そして、その結果、視認性の劣化発生を防ぐことができる。具体的には、調光装置７００を通して外界を見たとき、外界の像に歪みが生じたり、外界の像にズレが生じることを抑制することができる。【００９２】
ＩＴＯから成る第１電極７３１及び第２電極７３２は、パターニングされておらず、所謂ベタ電極である。図２Ａ及び図２Ｂに示すように、調光装置７００の補助電極７３３，７３４の一部７３３Ａ，７３４Ａにコネクタ（図示せず）が取り付けられており、第１電極７３１及び第２電極７３２は、調光装置７００の遮光率を制御するための制御回路（具体的には、後述する制御装置１８）に電気的に接続されている。【００９３】
実施例１あるいは後述する実施例２〜実施例８における光学装置１２０，３２０は、第１構造を有し、
（ｂ−１）画像形成装置１１０，２１０から入射された光が内部を全反射により伝播した後、観察者２０に向けて出射される導光板１２１，３２１、
（ｂ−２）導光板１２１，３２１に入射された光が導光板１２１，３２１の内部で全反射されるように、導光板１２１，３２１に入射された光を偏向する第１偏向手段１３０，３３０、及び、
（ｂ−３）導光板１２１，３２１の内部を全反射により伝播した光を偏向して導光板１２１，３２１から出射させる第２偏向手段１４０，３４０、
を備えている。そして、第２偏向手段１４０，３４０によって光学装置の虚像形成領域が構成される。また、調光装置７００の射影像内に第２偏向手段（虚像形成領域）１４０，３４０が位置する。【００９４】
実施例１あるいは後述する実施例２〜実施例１３において、光学ガラスやプラスチック材料から成る導光板１２１，３２１は、導光板１２１，３２１の内部全反射による光伝播方向（Ｘ方向）と平行に延びる２つの平行面（第１面１２２，３２２及び第２面１２３，３２３）を有している。第１面１２２，３２２と第２面１２３，３２３とは対向している。そして、光入射面に相当する第１面１２２，３２２から平行光が入射され、内部を全反射により伝播した後、光出射面に相当する第１面１２２，３２２から出射される。但し、これに限定するものではなく、第２面１２３，３２３によって光入射面が構成され、第１面１２２，３２２によって光出射面が構成されていてもよい。【００９５】
実施例１において、光学装置は第１−Ｂ構造の光学装置であり、画像表示装置は第１構成の画像形成装置である。具体的には、第１偏向手段及び第２偏向手段は、導光板１２１の表面（具体的には、導光板１２１の第２面１２３）に配設されている（具体的には、貼り合わされている）。そして、第１偏向手段は、導光板１２１に入射された光を回折反射し、第２偏向手段は、導光板１２１の内部を全反射により伝播した光を回折反射する。第１偏向手段及び第２偏向手段は、回折格子素子、具体的には反射型回折格子素子、より具体的には反射型体積ホログラム回折格子から成る。以下の説明において、ホログラム回折格子から成る第１偏向手段を、便宜上、『第１回折格子部材１３０』と呼び、ホログラム回折格子から成る第２偏向手段を、便宜上、『第２回折格子部材１４０』と呼ぶ。【００９６】
そして、実施例１あるいは後述する実施例７において、第１回折格子部材１３０及び第２回折格子部材１４０は、１層の回折格子層から成る構成とされている。フォトポリマー材料から成る各回折格子層には、１種類の波長帯域（あるいは、波長）に対応する干渉縞が形成されており、従来の方法で作製されている。回折格子層（回折光学素子）に形成された干渉縞のピッチは一定であり、干渉縞は直線状であり、Ｙ方向に平行である。第１回折格子部材１３０及び第２回折格子部材１４０の軸線はＸ方向と平行であり、法線はＺ方向と平行である。【００９７】
図６に反射型体積ホログラム回折格子の拡大した模式的な一部断面図を示す。反射型体積ホログラム回折格子には、傾斜角（スラント角）φを有する干渉縞が形成されている。傾斜角φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。【００９８】
ｍ・λ＝２・ｄ・ｓｉｎ（Θ）    （Ａ）
Θ＝９０°−（φ＋ψ）          （Ｂ）【００９９】
第１回折格子部材１３０は、上述したとおり、導光板１２１の第２面１２３に配設（接着）されており、第１面１２２から導光板１２１に入射されたこの平行光が導光板１２１の内部で全反射されるように、導光板１２１に入射されたこの平行光を回折反射する。更には、第２回折格子部材１４０は、上述したとおり、導光板１２１の第２面１２３に配設（接着）されており、導光板１２１の内部を全反射により伝播したこの平行光を回折反射し、導光板１２１から平行光のまま第１面１２２から出射する。【０１００】
そして、導光板１２１において、平行光が内部を全反射により伝播した後、出射される。このとき、導光板１２１が薄く導光板１２１の内部を進行する光路が長いため、各画角によって第２回折格子部材１４０に至るまでの全反射回数は異なっている。より詳細に述べれば、導光板１２１に入射する平行光のうち、第２回折格子部材１４０に近づく方向の角度をもって入射する平行光の反射回数は、第２回折格子部材１４０から離れる方向の角度をもって導光板１２１に入射する平行光の反射回数よりも少ない。これは、第１回折格子部材１３０において回折反射される平行光であって、第２回折格子部材１４０に近づく方向の角度をもって導光板１２１に入射する平行光の方が、これと逆方向の角度をもって導光板１２１に入射する平行光よりも、導光板１２１の内部を伝播していく光が導光板１２１の内面と衝突するときの導光板１２１の法線と成す角度が小さくなるからである。また、第２回折格子部材１４０の内部に形成された干渉縞の形状と、第１回折格子部材１３０の内部に形成された干渉縞の形状とは、導光板１２１の軸線に垂直な仮想平面に対して対称な関係にある。第１回折格子部材１３０及び第２回折格子部材１４０の導光板１２１とは対向していない面を、透明樹脂板あるいは透明樹脂フィルムで被覆し、第１回折格子部材１３０及び第２回折格子部材１４０に損傷が生じることを防止する構造としてもよい。また、第１面１２２に透明な保護フィルムを貼り合わせ、導光板１２１を保護してもよい。【０１０１】
後述する実施例７における導光板１２１も、基本的には、以上に説明した導光板１２１の構成、構造と同じ構成、構造を有する。【０１０２】
実施例１あるいは後述する実施例８において、画像形成装置１１０は、第１構成の画像形成装置であり、２次元マトリクス状に配列された複数の画素を有する。具体的には、画像形成装置１１０は、有機ＥＬ表示装置１１１から成る。有機ＥＬ表示装置１１１から出射され画像は、レンズ系を構成する第１の凸レンズ１１３Ａを通過し、更に、レンズ系を構成する第２の凸レンズ１１３Ｂを通過し、平行光となって、導光板１２１へと向かう。第１の凸レンズ１１３Ａの後方焦点ｆ1Bに、第２の凸レンズ１１３Ｂの前方焦点ｆ2Fが位置する。また、第１の凸レンズ１１３Ａの後方焦点ｆ1B（第２の凸レンズ１１３Ｂの前方焦点ｆ2F）の位置に、絞り１１４が配置されている。絞り１１４は画像出射部に該当する。画像形成装置１１０の全体は、筐体１１５内に納められている。有機ＥＬ表示装置１１１は、２次元マトリクス状に配列された複数（例えば、６４０×４８０個）の画素（有機ＥＬ素子）を備えている。【０１０３】
フレーム１０は、観察者２０の正面に配置されるフロント部１１と、フロント部１１の両端に蝶番１２を介して回動自在に取り付けられた２つのテンプル部１３と、各テンプル部１３の先端部に取り付けられたモダン部（先セル、耳あて、イヤーパッドとも呼ばれる）１４から成る。また、ノーズパッド１０’（図８参照）が取り付けられている。即ち、フレーム１０及びノーズパッド１０’の組立体は、基本的には、通常の眼鏡と略同じ構造を有する。更には、各筐体１１５が、取付け部材１９によってテンプル部１３に取り付けられている。フレーム１０は、金属又はプラスチックから作製されている。各筐体１１５は、取付け部材１９によってテンプル部１３に着脱自在に取り付けられていてもよい。また、眼鏡を所有し、装着している観察者に対しては、観察者の所有する眼鏡のフレーム１０のテンプル部１３に、各筐体１１５を取付け部材１９によって着脱自在に取り付けてもよい。各筐体１１５を、テンプル部１３の外側に取り付けてもよいし、テンプル部１３の内側に取り付けてもよい。あるいは又、フロント部１１に備えられたリム部１１’に、導光板１２１を嵌め込んでもよい。【０１０４】
更には、一方の画像形成装置１１０，２１０から延びる配線（信号線や電源線等）１５が、テンプル部１３、及び、モダン部１４の内部を介して、モダン部１４の先端部から外部に延び、制御装置（制御回路、制御手段）１８に接続されている。各画像形成装置１１０，２１０はヘッドホン部１６を備えており、各画像形成装置１１０，２１０から延びるヘッドホン部用配線１６’が、テンプル部１３、及び、モダン部１４の内部を介して、モダン部１４の先端部からヘッドホン部１６へと延びている。ヘッドホン部用配線１６’は、より具体的には、モダン部１４の先端部から、耳介（耳殻）の後ろ側を回り込むようにしてヘッドホン部１６へと延びている。このような構成にすることで、ヘッドホン部１６やヘッドホン部用配線１６’が乱雑に配置されているといった印象を与えることがなく、すっきりとした表示装置とすることができる。配線（信号線や電源線等）１５は、上述したとおり、制御装置（制御回路）１８に接続されており、制御装置１８において画像表示のための処理がなされる。制御装置１８は周知の回路から構成することができる。【０１０５】
フロント部１１の中央部分に、必要に応じて、ＣＣＤあるいはＣＭＯＳセンサから成る固体撮像素子とレンズ（これらは図示せず）とから構成されたカメラ１７が、適切な取付部材（図示せず）によって取り付けられている。カメラ１７からの信号は、カメラ１７から延びる配線（図示せず）を介して制御装置（制御回路）１８に送出される。【０１０６】
調光装置７００は、例えば、以下の方法で作製することができる。【０１０７】
［工程−１００］
即ち、先ず、第１基板７１１の上に、第１電極７３１、調光層７２０、第２電極７３２を形成し、第１基板７１１の縁部に封止部材を形成する。【０１０８】
［工程−１００Ａ］
具体的には、第１基板７１１の所望の領域の上に厚さ０．３０μｍのＩＴＯから成る第１電極７３１を形成する。次いで、第１電極７３１上に、反応性スパッタリング法に基づき、厚さ０．１５μｍのＩｒyＳｎ1-yＯ層（酸化イリジウムスズ層）から成る酸化着色層７２３を形成し、更に、厚さ０．４５μｍのＴａ2Ｏ5層（酸化タンタル）から成る電解質層７２２を形成する。次いで、反応性スパッタリング法に基づき、厚さ０．４９μｍのＷＯ3層（酸化タングステン）から成る還元着色層７２１を形成する。酸化着色層７２３、電解質層７２２及び還元着色層７２１の形成は、マグネトロンスパッタリング法、陽極酸化法、プラズマＣＶＤ法、ゾルゲル法等によっても形成することができる。成膜時、メタルマスクを用いて酸化着色層７２３、電解質層７２２及び還元着色層７２１を形成してもよい。その後、還元着色層７２１上に、厚さ０．３０μｍのＩＴＯから成る第２電極７３２を形成する。第１電極７３１や第２電極７３２の形成は、イオンプレーティング法や真空蒸着法といったＰＶＤ法、ゾルゲル法、ＣＶＤ法に基づき行うことができる。成膜時、メタルマスクを用いて第１電極７３１や第２電極７３２を形成してもよい。【０１０９】
［工程−１００Ｂ］
その後、第１基板７１１の縁部に封止部材７３３，７３４，７３５，７３６を形成する。具体的には、印刷法に基づき、銅（Ｃｕ）から成る封止部材７３３，７３４（第１補助電極７３３及び第２補助電極７３４）を第１基板７１１の縁部に形成する。また、印刷法によって、封止部材７３５，７３６を第１基板７１１の縁部に形成する。封止部材７３３，７３４，７３５，７３６の間に隙間が無いように（図２Ａ参照）、封止部材７３３，７３４，７３５，７３６を形成する。【０１１０】
［工程−１１０］
次いで、水分保持部材７４１を少なくとも第２電極７３２上に配置し、水分保持部材７４１から延在する水分保持部材延在部７４３を封止部材上に配置する。ここで、アクリル系樹脂を用いたので、水分保持部材７４１を少なくとも第２電極７３２に貼り合わせ、水分保持部材延在部７４３を封止部材７３３，７３４，７３５，７３６に貼り合わせる。水分保持部材７４１は、例えば、相対湿度５０％の室温で保管しておけば、平衡含水状態を保持することができる。液状の水分保持部材７４１を、フローコーター、スピンコーター、スクリーン印刷、グラビアコーター等を用いて第２電極７３２等の上に塗布することもできる。【０１１１】
［工程−１２０］
そして、水分保持部材７４１及び水分保持部材延在部７４３の上に第２基板７１２を配置する。即ち、外面にハードコート層が形成された第２基板７１２を準備する。そして、水分保持部材７４１及び水分保持部材延在部７４３と第２基板７１２の内面とが接するように、水分保持部材７４１及び水分保持部材延在部７４３の上に第２基板７１２を載置し、第２基板７１２に均等に圧力を加えることで、水分保持部材７４１及び水分保持部材延在部７４３と第２基板７１２とを貼り合わせる。こうして、実施例１の調光装置７００を得ることができる。【０１１２】
実施例１の表示装置を構成する調光装置７００において、ＷＯ3層（酸化タングステン）から成る還元着色層７２１の厚さを０．４９μｍ、Ｔａ2Ｏ5層（酸化タンタル）から成る電解質層７２２の厚さを０．４５μｍとし、ＩｒyＳｎ1-yＯ層（酸化イリジウムスズ層、ｙ＝０．５）から成る酸化着色層７２３の厚さを０．０９μｍ、０．１１μｍ、０．１３μｍ、０．１５μｍとした試験品を作製した。そして、着色現象及び気泡発生現象の評価を行った。評価においては、室温において、第１電極７３１と第２電極７３２との間に１．５ボルトの直流電圧を２時間、印加し、調光層を着色し、次いで、第１電極７３１と第２電極７３２との間に−１．５ボルトの直流電圧を１０秒間、印加し、調光層を消色するといった試験サイクルを１サイクルとして、２５０サイクルの試験を行った。【０１１３】
そして、調光層に電圧を印加していない状態にあっても調光層に僅かに着色状態が残るか否か、及び、調光層が着色・消色を繰り返す内に調光層に気泡が発生するか否かを、２５０サイクルの試験を行った後、目視観察に基づき評価した。その結果を図３６に示すが、酸化着色層７２３の厚さが０．０９μｍの場合、着色現象及び気泡発生現象が発生した。一方、酸化着色層７２３の厚さが０．１１μｍ以上の場合、着色現象及び気泡発生現象の発生は認められなかった。着色現象及び気泡発生現象の発生を確実に防止するためには、酸化着色層７２３の厚さは、厚い方が好ましいことが判った。【０１１４】
以上の試験結果から、
１≦［Ｒｅ］／［Ｏｘ］≦６．５
好ましくは、
１≦［Ｒｅ］／［Ｏｘ］≦５．５
より好ましくは、
［Ｒｅ］／［Ｏｘ］≦４．５
を満足することが望ましい。あるいは又、
１．０≦ＴRe／ＴOx≦４．５
好ましくは、
１．０≦ＴRe／ＴOx≦３．８
より好ましくは、
１．０≦ＴRe／ＴOx≦３．３
を満足することが望ましい。図３６における横軸は、酸化着色層７２３の厚さ（単位：μｍ）であり、縦軸は、［Ｒｅ］／［Ｏｘ］の値である。【０１１５】
一例として、酸化着色層の厚さが０．１５μｍの場合、
還元着色層に含まれる金属の単位面積当たりの質量
＝（還元着色層の密度）×（還元着色層の厚さ）×αRe
＝５．７×（０．４９×１０-4）×（１８４／２３２）
＝２．２２×１０-4
酸化着色層に含まれる金属の単位面積当たりの質量
＝（酸化着色層の密度）×（酸化着色層の厚さ）×αOx
＝６．３×（０．１５×１０-4）×（９６÷１８８）
＝０．４８×１０-4
還元着色層を構成する化合物において還元反応に寄与する金属の原子数［Ｒｅ］
＝（還元着色層を構成する化合物において還元反応に寄与する金属の単位面積当たりの質量／（還元着色層に含まれる金属の原子量）
＝（２．２２×１０-4）／１８４
酸化着色層を構成する化合物において酸化反応に寄与する金属の原子数［Ｏｘ］
＝（酸化着色層を構成する化合物において酸化反応に寄与する金属の単位面積当たりの質量／（酸化着色層に含まれる金属の原子量）
＝（０．４８×１０-4）／１９２
であり、
［Ｒｅ］／［Ｏｘ］＝（０．０１２０×１０-4）／（０．００２５１×１０-4）
＝４．８
である。【０１１６】
あるいは又、還元着色層７２１の体積相対密度をＬＤRe、酸化着色層７２３の体積相対密度をＬＤOxとしたとき、（ＴRe×ＬＤRe×αRe）／（ＴOx×ＬＤOx×αOx）の値は所定の範囲内にあることが好ましく、具体的には、
１．０≦（ＴRe×ＬＤRe×αRe）／（ＴOx×ＬＤOx×αOx）≦４．６
好ましくは、
１．０≦（ＴRe×ＬＤRe×αRe）／（ＴOx×ＬＤOx×αOx）≦３．８
より好ましくは、
１．０≦（ＴRe×ＬＤRe×αRe）／（ＴOx×ＬＤOx×αOx））≦３．３
を満足することが望ましい。【０１１７】
ＸＲＲ法に基づき、酸化着色層７２３の厚さを０．０９μｍとした場合、及び、０．１５μｍとした場合の密度の測定結果を以下の表１に示す。これらの２試料における還元着色層７２１及び電解質層７２２の密度も以下の表１に示す。ＸＲＲ法に基づく層密度の測定誤差は±０．０５グラム／ｃｍ3である。尚、ＷＯ3が完全結晶である場合の密度は７．１６グラム／ｃｍ3であり、Ｔａ2Ｏ5が完全結晶である場合の密度は８．７３グラム／ｃｍ3である。【０１１８】
〈表１〉
酸化着色層の厚さ            ０．１５μｍの場合    ０．０９μｍの場合
酸化着色層の密度            ６．７ｇ／ｃｍ3       ６．０ｇ／ｃｍ3
電解質層の密度              ７．１ｇ／ｃｍ3       ７．１ｇ／ｃｍ3
還元着色層の密度            ５．７ｇ／ｃｍ3       ５．７ｇ／ｃｍ3【０１１９】
発光積層体においては、特に、還元着色層付近にプロトン源となる過剰な水分が偏在し得るために、還元着色層を構成する材料に対する過剰な還元作用が生じる結果、第１電極及び第２電極に電圧を印加しなくても、還元着色層が部分的に還元されることで着色現象が発生し、また、調光層に焼き付きが発生すると考えられる。更には、このような過剰な水分はエレクトロクロミック反応以外の副反応の発生をもたらし、第１電極及び第２電極への電圧印加を繰り返す過程で水の電気分解反応により、水素ガスや酸素ガスが発生し、これが素子内部の圧力を上昇させ、気泡発生現象が生じると考えられる。然るに、実施例１の調光装置においては、［Ｒｅ］／［Ｏｘ］の値が規定されており、また、ＴRe／ＴOxの値が規定されている。従って、還元着色層を構成する材料に対する過剰な還元作用が生じる虞が無く、着色現象や焼き付きの発生を抑制することができるし、調光層における副反応の発生が抑制されるので、気泡発生現象の発生を防止することができる。【０１２０】
また、エレクトロクロミック素子内部において水分が無くなってしまうとエレクトロクロミック素子に色変化が生じなくなるといった現象が発生する。然るに、実施例１の調光装置にあっては、水分保持部材延在部の端面（調光装置の側壁）を介して水分の出入りが生じるので、調光装置あるいは画像表示装置、表示装置の信頼性が低下するといった問題の発生を回避することができる。しかも、補助電極が設けられているので、第１電極及び第２電極へ適切な電圧を容易に印加することができるし、第１電極あるいは第２電極における電圧降下の発生を抑制することができる結果、調光装置の着色時のムラ発生を低減することができる。【０１２１】
第１電極７３１と第２電極７３２との間に１．５ボルトの直流電圧を３０秒間、印加することで、可視光域の全光線透過率が７６％から４％に低下した。次いで、第１電極７３１及び第２電極７３２への電圧の印加を中止したところ、１時間経過後でも全光線透過率は８％に維持された。この状態で、消色側に電圧を印加すると消色された。具体的には、１．５ボルトとの直流電圧を４秒間、印加することで、可視光域の全光線透過率が７６％へと戻った。【０１２２】
また、６０秒周期で、第１電極７３１と第２電極７３２との間に１．５ボルト及び−１．５ボルトの一定電圧を加え続けるといったサイクル試験を実施した。その結果、３万サイクル後でも、調光装置の劣化は認められず、着色・消色を繰り返した。【０１２３】
更には、露点が−２５゜Ｃの乾燥環境をグローブボックス内に形成し、表示装置を３０日、グローブボックス内に保管した後、グローブボックス内で駆動させたところ、可視光域の全光線透過率は５％以下になることが確認された。【０１２４】
また、表示装置を６０゜Ｃ以上、３０％ＲＨ以下の環境で１０００時間保管した後、第１電極７３１と第２電極７３２との間に１．５ボルトとの直流電圧を３０秒間、印加すると、可視光域の全光線透過率が７％に低下した。その後、表示装置を常温・常湿環境下で１０時間、保管した後に、第１電極７３１と第２電極７３２との間に１．５ボルトとの直流電圧を３０秒間、印加したところ、可視光域の全光線透過率が４％に低下した。即ち、初期の状態に回復した。【０１２５】
図２Ｃに、実施例１の調光装置の変形例における第１基板等を光入射側（上方）から眺めたときの配置図を示すように、封止部材７３６の一部を第１補助電極７３３及び第２補助電極７３４で置き換えてもよい。【０１２６】
画像表示装置１００，２００，３００，４００，５００において表示する画像に関する情報やデータ、あるいは又、受信装置が受け取るべき信号は、例えば、所謂クラウドコンピュータやサーバーに記録、保管、保存されており、表示装置が通信手段（送受信装置）、例えば、携帯電話機やスマートフォンを備えることによって、あるいは又、制御装置（制御回路、制御手段）１８に通信手段（受信装置）を組み込むことで、通信手段を介してクラウドコンピュータやサーバーと表示装置との間での各種情報やデータ、信号の授受、交換を行うことができるし、各種情報やデータに基づく信号、即ち、画像表示装置１００，２００，３００，４００，５００において画像を表示するための信号を受け取ることができるし、受信装置は信号を受け取ることができる。【０１２７】
具体的には、観察者が、携帯電話機やスマートフォンに、入手すべき「情報」を要求する旨の入力を行うと、携帯電話機やスマートフォンは、クラウドコンピュータやサーバーにアクセスし、「情報」をクラウドコンピュータやサーバーから入手する。こうして、制御装置１８は、画像表示装置１００，２００，３００，４００，５００において画像を表示するための信号を受け取る。制御装置１８にあっては、この信号に基づいて周知の画像処理を行い、画像形成装置１１０に「情報」を画像として表示する。この「情報」を画像は、導光板１２１，３２１において、画像形成装置１１０，２１０から出射される光に基づき、制御装置１８によって制御された所定の位置に虚像として表示される。即ち、虚像形成領域（第２偏向手段１４０，３４０等）の一部分において虚像が形成される。【０１２８】
場合によっては、画像表示装置１００，２００，３００，４００，５００において画像を表示するための信号が、表示装置（具体的には、制御装置１８）に記憶されていてもよい。【０１２９】
あるいは又、表示装置に備えられたカメラ１７によって撮像された画像を通信手段を介してクラウドコンピュータやサーバーに送出し、クラウドコンピュータやサーバーにおいてカメラ１７によって撮像された画像に該当する各種情報やデータを検索し、検索された各種情報やデータを通信手段を介して表示装置に送出し、検索された各種情報やデータを画像表示装置１００，２００，３００，４００，５００において画像を表示してもよい。また、このような形態と「情報」の入力を併用すれば、例えば、観察者のいる場所等や観察者がどの方向を向いているか等の情報を加重することができるので、一層高い精度で、「情報」を画像形成装置１１０，２１０において表示することができる。【０１３０】
調光装置７００は、常時、動作状態にあってもよいし、観察者の指示（操作）によって動作／不動作（オン／オフ）状態が規定されてもよいし、通常は不動作状態にあり、画像表示装置１００，２００，３００，４００，５００において画像を表示するための信号に基づき、動作を開始してもよい。観察者の指示（操作）によって動作／不動作状態を規定するためには、例えば、表示装置はマイクロフォンを更に備えており、マイクロフォンを介した音声入力によって、調光装置７００の動作の制御を行えばよい。具体的には、観察者の肉声に基づく指示によって、調光装置７００の動作／不動作の切替えを制御すればよい。あるいは又、入手すべき情報を音声入力によって入力してもよい。あるいは又、表示装置は、赤外線入出射装置を更に備えており、赤外線入出射装置によって、調光装置７００の動作の制御を行えばよい。具体的には、赤外線入出射装置によって、観察者の瞬きを検出することで、調光装置７００の動作／不動作の切替えを制御すればよい。【０１３１】
図３４を参照して、後に説明するように、調光装置の領域毎に遮光率を制御する構成を有する調光装置とすることもできる。そして、このような調光装置にあっては、調光装置への虚像の投影像が含まれる調光装置の虚像投影領域の遮光率が、調光装置の他の領域の遮光率よりも高くなるように、調光装置を制御することができる。具体的には、制御装置１８によって、第１電極７３１及び第２電極７３２に印加される電圧を制御する。画像形成装置１１０において画像を表示するための信号に基づき、調光装置の虚像投影領域の大きさ及び位置が決定される。あるいは又、画像形成装置１１０，２１０から出射された光に基づき導光板１２１，３２１に虚像が形成される前に、調光装置の虚像投影領域の遮光率が増加される形態を採用してもよい。調光装置の虚像投影領域の遮光率が増加されてから虚像が形成されるまでの時間として、０．５秒乃至３０秒を例示することができるが、この値に限定するものではない。このように、予め、虚像が導光板のどの位置に、いつ、形成されるかを観察者は知ることができるので、観察者の虚像視認性の向上を図ることができる。調光装置の虚像投影領域の遮光率は、時間の経過に従い、順次、増加する形態とすることができる。即ち、所謂フェードイン状態とすることができる。あるいは又、虚像が形成されていない場合、調光装置全体の遮光率を、調光装置の他の領域の遮光率と同じ値とすればよい。虚像の形成が終了し、虚像が消滅したとき、調光装置への虚像の投影像が含まれていた調光装置の虚像投影領域の遮光率を、直ちに、調光装置の他の領域の遮光率と同じ値としてもよいが、経時的に（例えば、３秒間で）調光装置の他の領域の遮光率と同じ値となるように制御してもよい。即ち、所謂フェードアウト状態とすることができる。
【実施例２】
【０１３２】
実施例２は、実施例１の変形である。図２Ａの矢印Ａ−Ａに沿ったと同様の実施例２の調光装置７００Ａの模式的な断面図を図９Ａに示し、第１基板等を光入射側（上方）から眺めたときの配置図を図９Ｂに示す。【０１３３】
実施例２の調光装置７００Ａにおいて、封止部材７５１は樹脂から成る。封止部材７５１を構成する樹脂のヤング率は１×１０7Ｐａ以下である。そして、封止部材７５１の一部の内側には補助電極が設けられている。補助電極は、第１電極７３１上に形成された第１補助電極７３３、及び、第２電極７３２上に第１補助電極７３３と離間して形成された第２補助電極７３４から構成されている。封止部材７５１を構成する樹脂として、紫外線硬化型樹脂（具体的には、アクリル系樹脂、ウレタン系樹脂、シリコーン系樹脂、フッ素系樹脂、ポリイミド系樹脂及びエポキシ系樹脂から構成されている樹脂）を挙げることができる。【０１３４】
調光装置７００Ａにおいて、調光装置７００Ａの外壁の一部に相当する封止部材７５１は、コネクタを取り付けるべき補助電極７３３，７３４の一部７３３Ａ，７３４Ａに該当する領域を除き、隙間が無いように形成されている。以上の点を除き、実施例２の調光装置７００Ａ、実施例２の調光装置７００Ａを用いた画像表示装置及び表示装置の構成、構造は、実施例１において説明した調光装置７００、画像表示装置及び表示装置の構成、構造と同様とすることができるので、詳細な説明は省略する。
【実施例３】
【０１３５】
実施例３も、実施例１の変形である。図２Ａの矢印Ａ−Ａに沿ったと同様の実施例３の調光装置７００Ｂの模式的な断面図を図１０Ａに示し、第１基板等を光入射側（上方）から眺めたときの配置図を図１０Ｂに示す。【０１３６】
実施例３の調光装置７００Ｂにおいて、封止部材は、第１基板７１１の縁部に設けられた凸部７１３から成る。第１基板７１１の縁部における凸部は、例えば、熱プレス装置を用いて第１基板７１１の縁部を熱プレスすることで形成することができる。封止部材である凸部７１３の一部の内側には補助電極が設けられている。補助電極は、第１電極７３１上に形成された第１補助電極７３３、及び、第２電極７３２上に第１補助電極７３３と離間して形成された第２補助電極７３４から構成されている。【０１３７】
調光装置７００Ｂにおいて、調光装置７００Ｂの外壁の一部に相当する封止部材（凸部７１３）は、コネクタを取り付けるべき補助電極７３３，７３４の一部７３３Ａ，７３４Ａに該当する領域を除き、隙間が無いように形成されている。以上の点を除き、実施例３の調光装置７００Ｂ、実施例３の調光装置７００Ｂを用いた画像表示装置及び表示装置の構成、構造は、実施例１において説明した調光装置７００、画像表示装置及び表示装置の構成、構造と同様とすることができるので、詳細な説明は省略する。
【実施例４】
【０１３８】
実施例４は、実施例１〜実施例３の変形である。図２Ａの矢印Ａ−Ａに沿ったと同様の実施例４の調光装置７００Ｃの模式的な断面図を図１１に示すように、水分保持部材７４１と対向する第２基板７１２の面（内面）には、酸化アルミニウム（Ａｌ2Ｏ3）から成る無機材料膜７１４が形成されている。このように、無機材料膜７１４を形成することで、第２基板７１２に剛性を付与することができる結果、第２基板７１２に歪みが生じ難くなる。無機材料膜７１４の形成は、例えば、ＰＶＤ法に基づき行うことができる。以上の点を除き、実施例４の調光装置７００Ｃ、実施例４の調光装置７００Ｃを用いた画像表示装置及び表示装置の構成、構造は、実施例１〜実施例３において説明した調光装置７００，７００Ａ，７００Ｂ、画像表示装置及び表示装置の構成、構造と同様とすることができるので、詳細な説明は省略する。
【実施例５】
【０１３９】
実施例５は、実施例１〜実施例４の変形である。実施例５にあっては、補助電極から延びる枝補助電極を設けることで、第１電極あるいは及び第２電極へ均一な電圧印加を容易に行うことができる。図２Ａの矢印Ｂ−Ｂに沿ったと同様の実施例５の調光装置７００Ｄの模式的な断面図を図１２Ａに示し、実施例５の調光装置７００Ｄの第２電極等を光入射側（上方）から眺めたときの配置図を図１２Ｂに示すが、Ｘ方向に延びる第２補助電極７３４からＹ方向に延びる第２枝補助電極７３４’が、第２電極７３２上に形成されている。【０１４０】
あるいは又、図２Ａの矢印Ｂ−Ｂに沿ったと同様の実施例５の調光装置７００Ｄの変形例の模式的な断面図を図１３Ａに示し、第１電極等を光入射側とは反対側（下方）から眺めたときの配置図を図１３Ｂに示すが、Ｘ方向に延びる第１補助電極７３３からＹ方向に延びる第１枝補助電極７３３’が、第１電極７３１の下側（第１電極側）に形成されている。具体的には、第１枝補助電極７３３’が、第１基板７１１と第１電極７３１との間に、第１電極７３１と接して設けられている。第１枝補助電極７３３’と第１枝補助電極７３３’との間には、水分保持部材と同じ材料から成る層７４４が形成されている。調光装置７００Ｄの端面は、層７４４からも構成されている。【０１４１】
あるいは又、図２Ａの矢印Ｂ−Ｂに沿ったと同様の実施例５の調光装置７００Ｄの変形例の模式的な断面図を図１４に示すが、Ｘ方向に延びる第２補助電極７３４からＹ方向に延びる第２枝補助電極７３４’が、第２電極７３２上に形成されている。また、Ｘ方向に延びる第１補助電極７３３からＹ方向に延びる第１枝補助電極７３３’が、第１電極７３１の上（第２電極側）に形成されている。【０１４２】
このように枝補助電極を設けることによって、第１電極あるいは第２電極における過度の電圧降下の発生を抑制することができるので、調光装置の着色時のムラ発生を低減することができる。枝補助電極の幅は、視認性の観点からは細いことが好ましい。【０１４３】
以上の点を除き、実施例５の調光装置７００Ｄ、実施例５の調光装置７００Ｄを用いた画像表示装置及び表示装置の構成、構造は、実施例１〜実施例４において説明した調光装置７００，７００Ａ，７００Ｂ，７００Ｃ、画像表示装置及び表示装置の構成、構造と同様とすることができるので、詳細な説明は省略する。
【実施例６】
【０１４４】
実施例６は、実施例１〜実施例５の変形である。実施例６の調光装置７００Ｅを、図２Ａの矢印Ａ−Ａ及び矢印Ｂ−Ｂに沿って切断したときと同様の模式的な断面図を、図１５Ａ及び図１５Ｂ、並びに、図１６Ａ及び図１６Ｂに示す。【０１４５】
実施例６の調光装置７００Ｅは、
第１基板７１１の縁部上に配設された第１封止部材７６１、及び、
第１封止部材７６１と第２基板７１２との間に配設された第２封止部材７６２、
を更に備えている。【０１４６】
ここで、図１５Ａ及び図１５Ｂに示す実施例６の調光装置７００Ｅにおいて、第１封止部材７６１の一部は、実施例１と同様に、第１補助電極７３３及び第２補助電極７３４から成り、残部７３５，７３６は、実施例１と同様に、樹脂から成る。第２封止部材７６２は、水分保持部材７４１とは異なる樹脂から成る。第２封止部材７６２を構成する樹脂として、アクリル系樹脂、ウレタン系樹脂、シリコーン系樹脂、フッ素系樹脂、ポリイミド系樹脂及びエポキシ系樹脂から構成されている樹脂を挙げることができる。実施例６の調光装置を光入射側（上方）から眺めたときの第１基板等の配置図及び第２基板等の配置図は、図２Ａ及び図２Ｂと同じである。【０１４７】
実施例６の調光装置７００Ｅの製造にあっては、先ず、実施例１の［工程−１００］と同様の工程を実行する。次いで、実施例１の［工程−１１０］と同様の工程を実行する。但し、水分保持部材７４１を少なくとも第２電極７３２上に配置するが、第１補助電極７３３及び第２補助電極７３４、並びに、第１封止部材７６１の残部７３５，７３６の頂面には水分保持部材７４１が配置されないようにする。その後、水分保持部材７４１の上に第２基板７１２を配置する。次いで、第１封止部材７６１と第２基板７１２との間に、第２封止部材７６２を形成する。具体的には、液状の第２封止部材を、毛細管現象に基づき、第１封止部材７６１と第２基板７１２との間に浸入させる。これによって、第２封止部材に起因した応力の発生を抑制することができる。そして、紫外線を照射することで、第２封止部材を硬化させ、水分保持部材７４１及び第２封止部材７６２と第２基板７１２とを貼り合わせる。こうして、実施例６の調光装置７００Ｅを得ることができる。【０１４８】
あるいは又、図１６Ａ及び図１６Ｂに示す実施例６の調光装置の変形例７００Ｅにおいて、第１封止部材７６３は樹脂から成る。この変形例にあっては、調光装置を光入射側（上方）から眺めたときの第１基板等の配置図は、図９Ｂと実質的に同じである。そして、この場合、第１封止部材７６３を構成する樹脂のヤング率は１×１０7Ｐａ以下であることが好ましい。更には、第１封止部材７６３の一部の内側に補助電極７３３，７３４が設けられている。補助電極７３３，７３４は、第２封止部材７６２の一部の内側にまで延びていてもよい。ここで、補助電極は、第１電極７３１上に形成された第１補助電極７３３、及び、第２電極７３２上に第１補助電極７３３と離間して形成された第２補助電極７３４から構成されている。第１封止部材７６３を構成する樹脂として、紫外線硬化型樹脂（具体的には、アクリル系樹脂、ウレタン系樹脂、シリコーン系樹脂、フッ素系樹脂、ポリイミド系樹脂及びエポキシ系樹脂から構成されている樹脂）を挙げることができる。また、第２封止部材７６２も樹脂から成る構成とすることができ、この場合、第２封止部材７６２を構成する樹脂として、アクリル系樹脂、ウレタン系樹脂、シリコーン系樹脂、フッ素系樹脂、ポリイミド系樹脂及びエポキシ系樹脂から構成されている樹脂を挙げることができる。【０１４９】
実施例６の調光装置７００Ｅの変形例の製造にあっては、先ず、実施例１の［工程−１００Ａ］と同様の工程を実行する。次いで、実施例１の［工程−１００Ｂ］と同様の工程を実行する。但し、樹脂製の第１封止部材７６３を、印刷法及び紫外線硬化に基づき、第１基板７１１の縁部に形成する。更には、第１補助電極７３３、第２補助電極７３４を形成する。その後、実施例１の［工程−１１０］と同様の工程を実行する。但し、水分保持部材７４１を少なくとも第２電極７３２上に配置するが、第１封止部材７６３の頂面には水分保持部材７４１が配置されないようにする。次いで、第１封止部材７６３と第２基板７１２との間に、第２封止部材７６２を形成する。具体的には、液状の第２封止部材を、毛細管現象に基づき、第１封止部材７６３と第２基板７１２との間に浸入させる。これによって、第２封止部材に起因した応力の発生を抑制することができる。そして、紫外線を照射することで、第２封止部材を硬化させ、水分保持部材７４１及び第２封止部材７６２と第２基板７１２とを貼り合わせる。こうして、実施例６の調光装置の変形例７００Ｅを得ることができる。【０１５０】
以上の点を除き、実施例６の調光装置７００Ｅ、実施例６の調光装置７００Ｅを用いた画像表示装置及び表示装置の構成、構造は、実施例１あるいは実施例４、実施例５において説明した調光装置７００，７００Ｃ，７００Ｄ、画像表示装置及び表示装置の構成、構造と同様とすることができるので、詳細な説明は省略する。
【実施例７】
【０１５１】
実施例７は、実施例１〜実施例６の変形であり、第１−Ｂ構造の光学装置及び第２構成の画像形成装置に関する。実施例７の表示装置（頭部装着型ディスプレイ）における画像表示装置２００の概念図を図１７に示すように、実施例７において、画像形成装置２１０は、第２構成の画像形成装置から構成されている。即ち、光源２１１、光源２１１から出射された平行光を走査する走査手段２１２、及び、光源２１１から出射された光を平行光とするレンズ系２１３から構成されている。画像形成装置２１０全体が筐体２１５内に納められており、係る筐体２１５には開口部（図示せず）が設けられており、開口部を介してレンズ系２１３から光が出射される。そして、各筐体２１５が、取付け部材１９によって、着脱自在に、テンプル部１３に取り付けられている。また、図１７、図１８、図１９、図２６、図２７、図２９Ａ、図２９Ｂ、図３０Ａ、図３０Ｂにおいては、調光装置の図示を省略した。【０１５２】
光源２１１は、例えば、半導体レーザ素子から構成されている。そして、光源２１１から出射された光は、図示しないレンズによって平行光とされ、マイクロミラーを二次元方向に回転自在とし、入射した平行光を２次元的に走査することができるＭＥＭＳミラーから成る走査手段２１２によって水平走査及び垂直走査が行われ、一種の２次元画像化され、仮想の画素（画素数は、例えば、実施例１と同じとすることができる）が生成される。そして、そして、仮想の画素（画像出射部に該当する走査手段２１２）からの光は、正の光学的パワーを持つレンズ系２１３を通過し、平行光とされた光束が導光板１２１に入射する。【０１５３】
光学装置１２０は、実施例１にて説明した光学装置と同じ構成、構造を有するので、詳細な説明は省略する。また、実施例７の表示装置も、上述したとおり、画像形成装置２１０が異なる点を除き、実質的に、実施例１の表示装置と同じ構成、構造を有するので、詳細な説明は省略する。
【実施例８】
【０１５４】
実施例８は、実施例１〜実施例７の変形であるが、第１−Ａ構造の光学装置及び第１構成又は第２構成の画像形成装置に関する。【０１５５】
実施例８の表示装置（頭部装着型ディスプレイ）における画像表示装置３００の概念図を図１８に示すように、実施例８において、第１偏向手段３３０及び第２偏向手段３４０は導光板３２１の内部に配設されている。そして、第１偏向手段３３０は、導光板３２１に入射された光を反射し、第２偏向手段３４０は、導光板３２１の内部を全反射により伝播した光を、複数回に亙り、透過、反射する。即ち、第１偏向手段３３０は反射鏡として機能し、第２偏向手段３４０は半透過鏡として機能する。より具体的には、導光板３２１の内部に設けられた第１偏向手段３３０は、アルミニウム（Ａｌ）から成り、導光板３２１に入射された光を反射させる光反射膜（一種のミラー）から構成されている。一方、導光板３２１の内部に設けられた第２偏向手段３４０は、誘電体積層膜が多数積層された多層積層構造体から構成されている。誘電体積層膜は、例えば、高誘電率材料としてのＴｉＯ2膜、及び、低誘電率材料としてのＳｉＯ2膜から構成されている。誘電体積層膜が多数積層された多層積層構造体に関しては、特表２００５−５２１０９９に開示されている。図面においては６層の誘電体積層膜を図示しているが、これに限定するものではない。誘電体積層膜と誘電体積層膜との間には、導光板３２１を構成する材料と同じ材料から成る薄片が挟まれている。第１偏向手段３３０においては、導光板３２１に入射された平行光が導光板３２１の内部で全反射されるように、導光板３２１に入射された平行光が反射される。一方、第２偏向手段３４０においては、導光板３２１の内部を全反射により伝播した平行光が複数回に亙り反射され、導光板３２１から平行光の状態で、観察者２０の瞳２１に向かって出射される。【０１５６】
第１偏向手段３３０は、導光板３２１の第１偏向手段３３０を設ける部分３２４を切り出すことで、導光板３２１に第１偏向手段３３０を形成すべき斜面を設け、係る斜面に光反射膜を真空蒸着した後、導光板３２１の切り出した部分３２４を第１偏向手段３３０に接着すればよい。また、第２偏向手段３４０は、導光板３２１を構成する材料と同じ材料（例えば、ガラス）と誘電体積層膜（例えば、真空蒸着法にて成膜することができる）とが多数積層された多層積層構造体を作製し、導光板３２１の第２偏向手段３４０を設ける部分３２５を切り出して斜面を形成し、係る斜面に多層積層構造体を接着し、研磨等を行って、外形を整えればよい。こうして、導光板３２１の内部に第１偏向手段３３０及び第２偏向手段３４０が設けられた光学装置３２０を得ることができる。【０１５７】
あるいは又、実施例８の表示装置（頭部装着型ディスプレイ）における画像表示装置４００の概念図を図１９に示す。図１９に示した例では、画像形成装置２１０は、実施例７と同様に、第２構成の画像形成装置から構成されている。【０１５８】
実施例８の表示装置は、以上の相違点を除き、実質的に、実施例１〜実施例７の表示装置と同じ構成、構造を有するので、詳細な説明は省略する。
【実施例９】
【０１５９】
実施例９は、実施例７〜実施例８における画像表示装置の変形であるが、第２構造の光学装置、第２構成の画像形成装置に関する。実施例９の表示装置を上方から眺めた模式図を図２０に示す。【０１６０】
実施例９において、画像表示装置５００を構成する光学装置５２０は、光源から出射された光が入射され、観察者２０の瞳２１に向かって出射される半透過ミラー５３０Ａ，５３０Ｂから構成されている。実施例９において、それぞれの筐体２１５Ａ，２１５Ｂ内に配置されたそれぞれの光源２１１Ａ，２１１Ｂから出射された光は、図示しない光ファイバの内部を伝播して、例えば、ノーズパッド近傍のリム部１１’の部分に取り付けられた走査手段２１２Ａ，２１２Ｂに入射し、走査手段２１２Ａ，２１２Ｂによって走査された光は半透過ミラー５３０Ａ，５３０Ｂに入射する。あるいは又、それぞれの筐体２１５Ａ，２１５Ｂ内に配置されたそれぞれの光源２１１Ａ，２１１Ｂから出射された光は、図示しない光ファイバの内部を伝播して、例えば、両眼のそれぞれに対応するリム部１１’の部分の上方に取り付けられた走査手段２１２Ａ，２１２Ｂに入射し、走査手段２１２Ａ，２１２Ｂによって走査された光は半透過ミラー５３０Ａ，５３０Ｂに入射する。あるいは又、それぞれの筐体２１５Ａ，２１５Ｂ内に配置されたそれぞれの光源２１１Ａ，２１１Ｂから出射され、筐体２１５Ａ，２１５Ｂ内に配置された走査手段２１２Ａ，２１２Ｂに入射し、走査手段２１２Ａ，２１２Ｂによって走査された光は、半透過ミラー５３０Ａ，５３０Ｂに、直接、入射する。そして、半透過ミラー５３０Ａ，５３０Ｂによって反射された光が観察者２０の瞳２１に入射する。画像形成装置２１０Ａ，２１０Ｂは、実質的に、実施例７において説明した画像形成装置２１０とすることができる。実施例９の表示装置は、以上の相違点を除き、実質的に、実施例７〜実施例８の表示装置と同じ構成、構造を有するので、詳細な説明は省略する。
【実施例１０】
【０１６１】
実施例１０は、実施例１〜実施例９の変形である。実施例１０の表示装置を上方から眺めた模式図を図２１Ａに示す。また、照度センサを制御する回路の模式図を図２１Ｂに示す。【０１６２】
実施例１０の表示装置は、表示装置の置かれた環境の照度を測定する環境照度測定センサ８０１を更に備えており、環境照度測定センサ８０１の測定結果に基づき、調光装置７００の遮光率を制御する。併せて、あるいは、独立して、環境照度測定センサ８０１の測定結果に基づき、画像形成装置１１０，２１０によって形成される画像の輝度を制御する。周知の構成、構造を有する環境照度測定センサ８０１は、例えば、調光装置７００の外側端部に配置すればよい。環境照度測定センサ８０１は、図示しないコネクタ及び配線を介して制御装置１８に接続されている。制御装置１８には、環境照度測定センサ８０１を制御する回路が含まれる。この環境照度測定センサ８０１を制御する回路は、環境照度測定センサ８０１からの測定値を受け取り、照度を求める照度演算回路、照度演算回路によって求められた照度の値を標準値の比較する比較演算回路、比較演算回路によって求められた値に基づき、調光装置７００及び／又は画像形成装置１１０，２１０を制御する環境照度測定センサ制御回路から構成されているが、これらの回路は周知の回路から構成することができる。調光装置７００の制御にあっては、調光装置７００の遮光率の制御を行い、一方、画像形成装置１１０，２１０の制御にあっては、画像形成装置１１０，２１０によって形成される画像の輝度の制御を行う。調光装置７００における遮光率の制御と画像形成装置１１０，２１０における画像の輝度の制御は、それぞれ、独立して行ってもよいし、相関を付けて行ってもよい。【０１６３】
例えば、環境照度測定センサ８０１の測定結果が所定値（第１の照度測定値）以上になったとき、調光装置７００の遮光率を所定の値（第１の遮光率）以上とする。一方、環境照度測定センサ８０１の測定結果が所定値（第２の照度測定値）以下になったとき、調光装置７００の遮光率を所定の値（第２の遮光率）以下とする。第１の照度測定値として１０ルクスを挙げることができるし、第１の遮光率として９９％乃至７０％のいずれかの値を挙げることができるし、第２の照度測定値として０．０１ルクスを挙げることができるし、第２の遮光率として４９％乃至１％のいずれかの値を挙げることができる。【０１６４】
実施例１０における環境照度測定センサ８０１を、実施例７〜実施例９において説明した表示装置に適用することができる。また、表示装置がカメラ１７を備えている場合、カメラ１７に備えられた露出測定用の受光素子から環境照度測定センサ８０１を構成することもできる。【０１６５】
実施例１０あるいは次に述べる実施例１１の表示装置にあっては、環境照度測定センサの測定結果に基づき、調光装置の遮光率を制御し、また、環境照度測定センサの測定結果に基づき、画像形成装置によって形成される画像の輝度を制御し、また、透過光照度測定センサの測定結果に基づき、調光装置の遮光率を制御し、また、透過光照度測定センサの測定結果に基づき、画像形成装置によって形成される画像の輝度を制御するので、観察者が観察する虚像に高いコントラストを与えることができるだけでなく、表示装置の置かれた周囲の環境の照度に依存して虚像の観察状態の最適化を図ることができる。
【実施例１１】
【０１６６】
実施例１１も、実施例１〜実施例９の変形である。実施例１１の表示装置を上方から眺めた模式図を図２２Ａに示す。また、第２の照度センサを制御する回路の模式図を図２２Ｂに示す。【０１６７】
実施例１１の表示装置は、外部環境から調光装置を透過した光に基づく照度を測定する、即ち、環境光が調光装置を透過して所望の照度まで調整されて入射しているかを測定する透過光照度測定センサ８０２を更に備えており、透過光照度測定センサ８０２の測定結果に基づき、調光装置７００の遮光率を制御する。併せて、あるいは、独立して、また、透過光照度測定センサ８０２の測定結果に基づき、画像形成装置１１０，２１０によって形成される画像の輝度を制御する。周知の構成、構造を有する透過光照度測定センサ８０２は、光学装置１２０，３２０よりも観察者側に配置されている。具体的には、透過光照度測定センサ８０２は、例えば、筐体１１５，２１５の内側面や、導光板１２１，３２１の観察者側の面に配置すればよい。透過光照度測定センサ８０２は、図示しないコネクタ及び配線を介して制御装置１８に接続されている。制御装置１８には、透過光照度測定センサ８０２を制御する回路が含まれる。この透過光照度測定センサ８０２を制御する回路は、透過光照度測定センサ８０２からの測定値を受け取り、照度を求める照度演算回路、照度演算回路によって求められた照度の値を標準値の比較する比較演算回路、比較演算回路によって求められた値に基づき、調光装置７００及び／又は画像形成装置１１０，２１０を制御する透過光照度測定センサ制御回路から構成されているが、これらの回路は周知の回路から構成することができる。調光装置７００の制御において、調光装置７００の遮光率の制御を行い、一方、画像形成装置１１０，２１０の制御において、画像形成装置１１０，２１０によって形成される画像の輝度の制御を行う。調光装置７００における遮光率の制御と画像形成装置１１０，２１０における画像の輝度の制御は、それぞれ、独立して行ってもよいし、相関を付けて行ってもよい。更に、透過光照度測定センサ８０２の測定結果が環境照度測定センサ８０１の照度から鑑みて所望の照度まで制御できていない場合、即ち、透過光照度測定センサ８０２の測定結果が所望の照度になっていない場合、若しくは、更に一層の微妙な照度調整が望まれる場合には、透過光照度測定センサ８０２の値をモニターしながら調光装置の遮光率を調整すればよい。透過光照度測定センサを、少なくとも２つ、配置し、高遮光率の部分を通過した光に基づく照度の測定、低遮光率の部分を通過した光に基づく照度の測定を行ってもよい。【０１６８】
実施例１１における透過光照度測定センサ８０２を、実施例１〜実施例９において説明した表示装置に適用することができる。あるいは又、実施例１１における透過光照度測定センサ８０２と実施例１０における環境照度測定センサ８０１とを組み合わせてもよく、この場合、種々の試験を行い、調光装置７００における遮光率の制御と画像形成装置１１０，２１０における画像の輝度の制御を、それぞれ、独立して行ってもよいし、相関を付けて行ってもよい。右眼用の調光装置と左眼用の調光装置のそれぞれにおいて、第１電極及び第２電極に印加する電圧を調整することで、右眼用の調光装置における遮光率及び左眼用の調光装置における遮光率の均等化を図ることができる。第１電極と第２電極との間の電位差を制御してもよいし、第１電極に印加する電圧と第２電極に印加する電圧とを独立に制御してもよい。右眼用の調光装置における遮光率及び左眼用の調光装置における遮光率は、例えば、透過光照度測定センサ８０２の測定結果に基づき、制御することができるし、あるいは又、観察者が、右眼用の調光装置及び光学装置を通過した光の明るさ及び左眼用の調光装置及び光学装置を通過した光の明るさを観察し、観察者が、スイッチやボタン、ダイアル、スライダ、ノブ等を操作することで手動にて制御、調整することもできる。
【実施例１２】
【０１６９】
実施例１２は、実施例１〜実施例１１の変形である。実施例１２の表示装置を上方から眺めた模式図を図２３に示し、実施例１２の光学装置及び調光装置の模式的な正面図を図２４に示す。実施例１２の表示装置にあっては、第１偏向手段１３０，３３０と対向する調光装置７００の外面に、導光板１２１，３２１の外へ光が漏れ出し、光利用効率が低下することを防止するための遮光部材８１１が形成されている。あるいは又、上方から眺めた模式図を図２５に示すように、第１偏向手段１３０，３３０を覆うように、導光板１２１，３２１の第２面１２３，３２３の外側に遮光部材８１２が配置されており、あるいは又、設けられている。導光板１２１，３２１への第１偏向手段１３０，３３０の正射影像は、導光板１２１，３２１への遮光部材８１１，８１２の正射影像に含まれる。具体的には、例えば、画像形成装置１１０，２１０から出射された光が入射される導光板１２１，３２１の領域、より具体的には、第１偏向手段１３０，３３０が設けられた領域に、導光板１２１，３２１への外光の入射を遮光する遮光部材８１１，８１２が配されている。遮光部材８１１，８１２の導光板１２１，３２１への正射影像内に、画像形成装置１１０，２１０から出射された光が入射される導光板１２１，３２１の領域が含まれる。【０１７０】
遮光部材８１１，８１２は、導光板１２１，３２１の画像形成装置１１０，２１０が配された側とは反対側に、導光板１２１，３２１と離間して配されている。遮光部材８１１は、第２基板７１２の一部に配されている。具体的には、不透明なインクを第２基板７１２に印刷することで、遮光部材８１１を形成することができる。遮光部材８１２は、例えば、不透明なプラスチック材料から作製されており、遮光部材８１２は、画像形成装置１１０，２１０の筐体１１５，２１５から一体に延び、あるいは又、画像形成装置１１０，２１０の筐体１１５，２１５に取り付けられ、あるいは又、フレーム１０から一体に延び、あるいは又、フレーム１０に取り付けられ、あるいは又、導光板１２１，３２１に取り付けられている。図示した例では、遮光部材８１２は、画像形成装置１１０，２１０の筐体１１５、２１５から一体に延びている。このように、画像形成装置１１０，２１０から出射された光が入射される導光板１２１，３２１の領域には、導光板１２１，３２１への外光の入射を遮光する遮光部材８１１，８１２が配されているので、画像形成装置１１０，２１０から出射された光が入射される導光板１２１，３２１の領域、具体的には、第１偏向手段１３０，３３０には外光が入射しないので、不所望の迷光等が発生し、表示装置における画像表示品質の低下を招くことが無い。遮光部材８１１との遮光部材８１２とを組み合わせることもできる。
【実施例１３】
【０１７１】
実施例１３は、実施例７の変形である。実施例１３の画像表示装置の概念図を図２６あるいは図２７に示すように、第２偏向手段１４０と対向して光学装置１２０に光学部材１５１を配設してもよい。画像形成装置２１０からの光は、第１偏向手段１３０において偏向され（あるいは反射され）、導光板１２１の内部を全反射により伝播し、第２偏向手段１４０において偏向され、光学部材１５１に入射し、光学部材１５１は、入射した光を観察者２０の瞳２１に向けて出射する。第２偏向手段１４０を通過する際の光の相当の部分は、第２偏向手段１４０における回折条件を満たしていないので、第２偏向手段１４０において回折反射されることなく、観察者２０の瞳２１に入射する。光学部材１５１は、例えば、ホログラムレンズから成り、例えば、導光板１２１の第２面側に配置されている。第２偏向手段１４０は、導光板１２１の第２面側に配置されており（図２６参照）、あるいは又、第１面側（図２７参照）に配置されている。【０１７２】
そして、この場合、画像形成装置２１０からの光が入射され、導光板１２１へ向けて出射するレンズ系２１３を更に備えており；画像形成装置２１０と観察者２０の瞳２１とは共役の関係にあり；レンズ系２１３及び光学部材１５１によって両側テレセントリック系が構成される形態とすることができる。あるいは又、正の光学的パワーを有するレンズ系２１３の前方焦点に、画像形成装置２１０から画像が出射される画像出射部が位置し、正の光学的パワーを有する光学部材１５１の後方焦点に、観察者２０の瞳２１（より具体的には、水晶体）が位置し、レンズ系２１３の後方焦点に光学部材１５１の前方焦点が位置する形態とすることができる。ここで、画像形成装置２１０と観察者２０の瞳２１とが共役の関係にあるとき、観察者２０の瞳２１の位置に画像形成装置２１０を置くと、元の画像形成装置２１０の位置に像が形成される。また、レンズ系２１３及び光学部材１５１によって両側テレセントリック系が構成されるとき、レンズ系２１３の入射瞳は無限遠にあるし、光学部材１５１の射出瞳は無限遠にある。【０１７３】
レンズ系２１３として、前述したとおり、凸レンズ、凹レンズ、自由曲面プリズム、ホログラムレンズを、単独、若しくは、組み合わせた、全体として正の光学的パワーを持つ光学系を例示することができる。レンズ系２１３の有する正の光学的パワーの値は、光学部材１５１の有する正の光学的パワーの値よりも大きい形態とすることができる。光学的パワーは焦点距離の逆数であるが故に、云い換えれば、光学部材１５１の焦点距離は、レンズ系２１３の焦点距離よりも長い形態とすることができる。レンズ系２１３の前方焦点（画像形成装置側の焦点）の位置に、場合によっては、絞り１１４が配置されている。光学部材１５１は、場合によっては、一種の凹面鏡を構成し、光学部材１５１の後方焦点の位置に観察者２０の瞳２１（具体的には、観察者の水晶体）が位置する。【０１７４】
ホログラムレンズを構成する材料として、フォトポリマー材料を挙げることができる。ホログラムレンズの構成材料や基本的な構造は、従来のホログラムレンズの構成材料や構造と同じとすればよい。ホログラムレンズには、レンズ（より具体的には、凹面鏡）としての機能を発揮させるための干渉縞が形成されているが、係る干渉縞それ自体の形成方法は、従来の形成方法と同じとすればよい。具体的には、例えば、ホログラムレンズを構成する部材（例えば、フォトポリマー材料）に対して一方の側の第１の所定の方向から物体光を照射し、同時に、ホログラムレンズを構成する部材に対して他方の側の第２の所定の方向から参照光を照射し、物体光と参照光とによって形成される干渉縞をホログラムレンズを構成する部材の内部に記録すればよい。例えば、物体光、参照光の一方を発散ビームとし、他方を集束ビームとする。第１の所定の方向、第２の所定の方向、物体光及び参照光の波長を適切に選択することで、ホログラムレンズに適切な干渉縞を形成することができ、これによって、所望の正の光学的パワーを付与することができる。【０１７５】
光学系を説明する概念図を図２８に示すように、上述したとおり、画像形成装置２１０（具体的には、画像出射部）と観察者２０の瞳２１（具体的には、水晶体）とは共役の関係にあり、レンズ系２１３及び光学部材１５１によって両側テレセントリック系が構成される構造を挙げることができる。あるいは又、正の光学的パワーを有するレンズ系２１３の前方焦点ｆ1Fに、画像形成装置２１０から画像が出射される画像出射部（具体的には走査手段２１２）が位置し、正の光学的パワーを有する光学部材１５１の後方焦点ｆ2Bに、観察者２０の瞳２１（より具体的には、水晶体）が位置し、レンズ系２１３の後方焦点ｆ1Bに光学部材１５１の前方焦点ｆ2Fが位置する構成とすることもできる。また、前述したとおり、レンズ系２１３及び光学部材１５１は正の光学的パワーを有する。そして、この場合、レンズ系２１３の有する正の光学的パワーの値は、光学部材１５１の有する正の光学的パワーの値よりも大きい構成とすることができる。即ち、光学部材１５１の焦点距離（ｆ2B）は、レンズ系２１３の焦点距離（ｆ1F）よりも長い構成とすることができる。ここで、レンズ系２１３の前方焦点ｆ1F（画像形成装置側の焦点）の位置には、画像出射部に該当する走査手段２１２が配置されている。一方、光学部材１５１は一種の凹面鏡を構成し、光学部材１５１の後方焦点ｆ2Bの位置に観察者２０の瞳２１（具体的には、水晶体）が位置する。【０１７６】
このような構造、構成の画像表示装置にあっては、或る瞬間に光源２１１から出射された光（例えば、１画素分あるいは１副画素分の大きさに相当する）は、上述したとおり、平行光とされ、この平行光は走査手段２１２によって走査され、平行光のまま、レンズ系２１３に入射する。レンズ系２１３から出射した光は、レンズ系２１３の後方焦点（光学部材１５１の前方焦点でもある）において、一旦、結像し、光学部材１５１に入射する。光学部材１５１から出射した光は、平行光となり、観察者２０の瞳２１（具体的には、水晶体）に、平行光のまま、到達する。そして、水晶体を通過した光は、最終的に、観察者２０の瞳２１の網膜において結像する。【０１７７】
以上に説明した実施例１３の画像表示装置の構成、構造を、実施例１〜実施例１２に適用することができることは云うまでもない。
【実施例１４】
【０１７８】
実施例１４は実施例９において説明した第２構造の光学装置を構成する光学装置の変形である。実施例１４の表示装置を上から眺めた模式図を、図２９Ａ及び図２９Ｂに示す。【０１７９】
図２９Ａに示す例にあっては、光源６０１からの光が導光部材６０２に侵入し、導光部材６０２内に設けられた偏光ビームスプリッター６０３に衝突する。偏光ビームスプリッター６０３に衝突した光源６０１からの光の内、Ｐ偏光成分は偏光ビームスプリッター６０３を通過し、Ｓ偏光成分は、偏光ビームスプリッター６０３によって反射され、ライト・バルブとしてのＬＣＯＳから成る液晶表示装置（ＬＣＤ）６０４に向かう。液晶表示装置（ＬＣＤ）６０４によって画像が形成される。液晶表示装置（ＬＣＤ）６０４によって反射された光の偏光成分はＰ偏光成分が占めるので、液晶表示装置（ＬＣＤ）６０４によって反射された光は、偏光ビームスプリッター６０３，６０５を通過し、１／４波長板６０６を通過し、反射板６０７に衝突して反射され、１／４波長板６０６を通過し、偏光ビームスプリッター６０５に向かう。このときの光の偏光成分はＳ偏光成分が占めるので、偏光ビームスプリッター６０５によって反射され、観察者の瞳２１へと向かう。以上のとおり、画像形成装置は、光源６０１及び液晶表示装置（ＬＣＤ）６０４から構成され、光学装置は、導光部材６０２、偏光ビームスプリッター６０３，６０５、１／４波長板６０６及び反射板６０７から構成され、偏光ビームスプリッター６０５が光学装置の虚像形成領域に相当する。【０１８０】
図２９Ｂに示す例にあっては、画像形成装置６１１からの光が導光部材６１２を進行し、半透過ミラー６１３に衝突し、一部の光が半透過ミラー６１３を通過し、反射板６１４に衝突して反射され、半透過ミラー６１３に再び衝突し、一部の光が半透過ミラー６１３によって反射され、観察者の瞳２１へと向かう。光学装置は、以上のとおり、導光部材６１２、半透過ミラー６１３及び反射板６１４から構成されており、半透過ミラー６１３が光学装置の虚像形成領域に相当する。【０１８１】
あるいは又、実施例１４の表示装置の変形例を上から眺めた模式図及び横から眺めた模式図を、図３０Ａ及び図３０Ｂに示す。この光学装置は、６面体のプリズム６２２及び凸レンズ６２５から構成されている。画像形成装置６２１から出射された光は、プリズム６２２に入射し、プリズム面６２３に衝突して反射され、プリズム６２２を進行し、プリズム面６２４に衝突して反射され、凸レンズ６２５を介して観察者の瞳２１に到達する。プリズム面６２３とプリズム面６２４とは、向かい合う方向に傾斜が付けられており、プリズム６２２の平面形状は、台形、具体的には、等脚台形である。プリズム面６２３，６２４にはミラーコーティングが施されている。瞳２１と対向するプリズム６２２の部分の厚さ（高さ）を、人間の平均的な瞳孔径である４ｍｍより薄くすれば、観察者は、外界の像とプリズム６２２からの虚像とを重畳して見ることができる。
【実施例１５】
【０１８２】
実施例１においては、画像表示装置に組み込まれた調光装置を説明したが、本開示の調光装置は、画像表示装置に組み込まず、独立して使用することもできる。即ち、このような本開示の調光装置７００Ｆは、例えば、窓に適用することができ、模式的な断面図を図３１に示すように、
第１基板７１１、
第１基板７１１と対向して配設され、外光が入光する第２基板７１２、
第１基板上に形成された第１電極（図示せず）、
第１電極上に形成された調光層７２０、
少なくとも調光層上に形成された第２電極（図示せず）、及び、
少なくとも第２電極を覆い、第２基板と対向した水分保持部材（図示せず）、
を備えている。調光装置７００Ｆは、実質的に、実施例１〜実施例６において説明した調光装置７００，７００Ａ，７００Ｂ，７００Ｃ，７００Ｄ，７００Ｅと同様の構成、構造を有する。ここで、図示した例では、調光装置７００Ｆは、窓枠９００に取り付けられている。このような本開示の調光装置７００Ｆは、例えば、窓や、鏡、反射鏡、各種表示装置、スクリーンに適用することができる。窓ガラス９０１も窓枠９００に取り付けられている。【０１８３】
以上、本開示を好ましい実施例に基づき説明したが、本開示はこれらの実施例に限定するものではない。実施例において説明した表示装置（頭部装着型ディスプレイ）、画像表示装置、画像形成装置の構成、構造は例示であり、適宜変更することができる。調光装置の外形形状は、本質的に任意の形状とすることができる。図３２には、楕円形状の外形形状を有する調光装置を示す。また、実施例１と実施例２とを組み合わせてもよい。【０１８４】
実施例においては、調光層を、ＷＯ3／Ｔａ2Ｏ5／ＩｒyＳｎ1-yＯxの組み合わせから構成したが、ＷＯ3／Ｔａ2Ｏ5／ＩｒＯxの組み合わせによっても、同様の結果が得られた。また、ＷＯ3を酸化モリブデン（ＭｏＯ3）や酸化バナジウム（Ｖ2Ｏ5）等の無機材料に代えても同様の結果が得られるし、酸化着色層として、酸化イリジウム（ＩｒＯx）系材料に代えて、酸化ロジウム（ＲｈＯx）、酸化ニッケル（ＮｉＯx）、酸化クロム（ＣｒＯx）、酸化ジルコニウム（ＺｒＯx）、リン酸ジルコニウム、水酸化ニッケル、塩化銅等の無機材料や、金属錯体（プルシアンブルー錯体、ルテニウムパープル錯体）を用いても、同様の結果が得られる。【０１８５】
図２Ａの矢印Ａ−Ａに沿って切断したときと同様の模式的な断面図である図３３Ａあるいは図３３Ｂに示すように、例えば実施例１の調光装置の変形例にあっては、封止部材７３３，７３４，７３５，７３６の断面形状は、第２基板７１２に近づくに従い狭くなる形状である形態とすることができる。図３３Ａに図示した例では、封止部材７３３，７３４，７３５，７３６の頂面は平坦であり、図３３Ａに図示した例では、封止部材７３３，７３４，７３５，７３６の頂面は丸みを帯びている。封止部材の断面形状７３３，７３４，７３５，７３６をこのような形状とすることで、水分保持部材７４１を少なくとも第２電極７３２上に配置し、水分保持部材７４１から延在する水分保持部材延在部７４３を封止部材上に配置するとき、水分保持部材７４１の下に気泡が混入するといった問題の発生を回避することができる。このような問題は、図３３Ａ及び図３３Ｂに領域Ａで示す領域において発生し易い。封止部材７３３，７３４，７３５，７３６のこのような断面形状は、例えば、印刷法に基づく封止部材の形成、メタルマスクを用いて回り込みを生じさせるスパッタリング法に基づく封止部材の形成といった種々の方法に基づき形成することができる。【０１８６】
実施例の調光装置において、調光装置は湾曲している形態とすることができ、これによって、画像表示装置あるいは表示装置へ調光装置を容易に、且つ、確実に装着させることができる。曲率半径３０ｍｍまで調光装置を湾曲させても、着色、消色特性に何ら、変化が認められなかった。【０１８７】
例えば、導光板に表面レリーフ型ホログラム（米国特許第２００４００６２５０５Ａ１参照）を配置してもよい。光学装置にあっては、回折格子素子を透過型回折格子素子から構成することもできるし、あるいは又、第１偏向手段及び第２偏向手段の内のいずれか一方を反射型回折格子素子から構成し、他方を透過型回折格子素子から構成する形態とすることもできる。あるいは又、回折格子素子を、反射型ブレーズド回折格子素子とすることもできる。本開示の表示装置は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。【０１８８】
実施例においては、画像形成装置１１０，２１０は、単色（例えば、緑色）の画像を表示するとして説明したが、画像形成装置１１０，２１０はカラー画像を表示することもでき、この場合、光源を、例えば、赤色、緑色、青色のそれぞれを出射する光源から構成すればよい。具体的には、例えば、赤色発光素子、緑色発光素子、青色発光素子のそれぞれから出射された赤色光、緑色光及び青色光をライトパイプを用いて混色、輝度均一化を行うことで白色光を得ればよい。場合によっては、調光装置を通過する光を、調光装置によって所望の色に着色する構成とすることができ、この場合、調光装置によって着色される色を可変とすることができる。具体的には、例えば、赤色に着色される調光装置と、緑色に着色される調光装置と、青色に着色される調光装置とを積層すればよい。【０１８９】
あるいは又、第１導光板に、赤色の波長帯域（あるいは、波長）を有する光を回折反射させるホログラム回折格子から成る回折格子層から構成された回折格子部材（赤色回折格子部材）を配し、第２導光板に、緑色の波長帯域（あるいは、波長）を有する光を回折反射させるホログラム回折格子から成る回折格子層から構成された回折格子部材（緑色回折格子部材）を配し、第３導光板に、青色の波長帯域（あるいは、波長）を有する光を回折反射させるホログラム回折格子から成る回折格子層から構成された回折格子部材（青色回折格子部材）を配し、これらの第１導光板、第２導光板及び第３導光板を隙間を開けて積層する構造を採用してもよい。あるいは又、第１導光板に、赤色回折格子部材、緑色回折格子部材及び青色回折格子部材の内の１種類の回折格子部材を配し、この回折格子部材が配された第１導光板の面とは異なる面に、赤色回折格子部材、緑色回折格子部材及び青色回折格子部材の内の残り２種類の内の１種類の回折格子部材を配し、第２導光板に、赤色回折格子部材、緑色回折格子部材及び青色回折格子部材の内の残りの１種類の回折格子部材を配し、これらの第１導光板及び第２導光板を隙間を開けて積層する構造を採用してもよい。【０１９０】
調光装置における遮光率の制御は、例えば、単純マトリクス方式に基づき行うことができる。即ち、模式的な平面図を図３４に示すように、
第１電極７３１は、第１の方向に延びる複数の帯状の第１電極セグメント７３１Ａから構成されており、
第２電極７３２は、第１の方向とは異なる第２の方向に延びる複数の帯状の第２電極セグメント７３２Ａから構成されており、
第１電極セグメント７３１Ａと第２電極セグメント７３２Ａの重複領域（調光装置の遮光率が変化する最小単位領域７３０Ａ）に対応する調光装置の部分の遮光率の制御は、第１電極セグメント７３１Ａ及び第２電極セグメント７３２Ａに印加する電圧の制御に基づき行われる。第１の方向と第２の方向とは直交しており、具体的には、第１の方向は横方向（Ｘ方向）に延び、第２の方向は縦方向（Ｙ方向）に延びる。このような構成にあっては、補助電極は不要であり、実施例２〜実施例６において説明した調光装置を、適宜、適用することができる。【０１９１】
実施例１等において説明した第１−Ｂ構造の光学装置を、以下に説明するように、変形することも可能である。即ち、図３５に実施例１の表示装置の変形例における光学装置の概念図を示すように、第１の反射型体積ホログラム回折格子３５１、第２の反射型体積ホログラム回折格子３５２及び第３の反射型体積ホログラム回折格子３５３を備えていてもよい。第１の反射型体積ホログラム回折格子３５１にあっては、回折格子部材の干渉縞は、概ねＹ軸と平行に延びる。第２の反射型体積ホログラム回折格子３５２にあっては、回折格子部材の干渉縞は、概ねＸ軸と平行に延びる。第３の反射型体積ホログラム回折格子３５３にあっては、回折格子部材の干渉縞は、斜めの方向に延びる。画像形成装置１１０，２１０から出射された光線は、第１の反射型体積ホログラム回折格子３５１によって、Ｘ軸方向に回折され、導光板１２１を伝播し、第３の反射型体積ホログラム回折格子３５３に入射する。そして、第３の反射型体積ホログラム回折格子３５３によって斜め下方に回折され、第２の反射型体積ホログラム回折格子３５２に入射する。そして、第２の反射型体積ホログラム回折格子３５２によってＺ軸方向に回折され、観察者の瞳に入射する。導光領域は、
［Ａ］第１の反射型体積ホログラム回折格子３５１の図３５における右端と、第３の反射型体積ホログラム回折格子３５３の図３５における左端とによって挟まれた領域に対向する導光板１２１の領域
及び、
［Ｂ］第３の反射型体積ホログラム回折格子３５３の図３５における下端と、第２の反射型体積ホログラム回折格子３５２の図３５における上端とによって挟まれた領域に対向する導光板１２１の領域
の２つの領域から構成される。また、全導光領域は、上記の２つの導光板１２１の領域、並びに、
［Ｃ］第１の反射型体積ホログラム回折格子３５１に対向する導光板１２１の領域
［Ｄ］第３の反射型体積ホログラム回折格子３５３に対向する導光板１２１の領域
及び、
［Ｅ］第２の反射型体積ホログラム回折格子３５２に対向する導光板１２１の領域
から構成される。【０１９２】
尚、本開示は、以下のような構成を取ることもできる。
［Ａ０１］《調光装置：第１の態様》
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層を構成する化合物において還元反応に寄与する金属の原子数を［Ｒｅ］、酸化着色層を構成する化合物において酸化反応に寄与する金属の原子数を［Ｏｘ］としたとき、［Ｒｅ］／［Ｏｘ］の値は所定の範囲内にある調光装置。
［Ａ０２］１≦［Ｒｅ］／［Ｏｘ］≦６．５を満足する［Ａ０１］に記載の調光装置。
［Ａ０３］１≦［Ｒｅ］／［Ｏｘ］≦５．５を満足する［Ａ０１］に記載の調光装置。
［Ａ０４］１≦［Ｒｅ］／［Ｏｘ］≦４．５を満足する［Ａ０１］に記載の調光装置。
［Ａ０５］還元着色層はＷＯ3から成り、電解質層はＴａ2Ｏ5から成り、酸化着色層はイリジウム原子を含む［Ａ０１］乃至［Ａ０４］のいずれか１項に記載の調光装置。
［Ａ０６］《調光装置：第２の態様》
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層の厚さをＴRe、酸化着色層の厚さをＴOxとしたとき、ＴRe／ＴOxの値は所定の範囲内にある調光装置。
［Ａ０７］１．０≦ＴRe／ＴOx≦４．５を満足する［Ａ０６］に記載の調光装置。
［Ａ０８］１．０≦ＴRe／ＴOx≦３．８を満足する［Ａ０６］に記載の調光装置。
［Ａ０９］１．０≦ＴRe／ＴOx≦３．３を満足する［Ａ０６］に記載の調光装置。
［Ａ１０］還元着色層の体積相対密度をＬＤRe、酸化着色層の体積相対密度をＬＤOxとしたとき、（ＴRe×ＬＤRe×αRe）／（ＴOx×ＬＤOx×αOx）の値は所定の範囲内にある［Ａ０６］に記載の調光装置。
［Ａ１１］１．０≦（ＴRe×ＬＤRe×αRe）／（ＴOx×ＬＤOx×αOx）≦４．６
を満足する［Ａ１０］に記載の調光装置。
［Ａ１２］還元着色層はＷＯ3から成り、電解質層はＴａ2Ｏ5から成り、酸化着色層はイリジウム原子を含む［Ａ０６］乃至［Ａ１１］のいずれか１項に記載の調光装置。
［Ａ１３］少なくとも第２電極と第２基板との間には水分保持部材が配設されている［Ａ０１］乃至［Ａ１２］のいずれか１項に記載の調光装置。
［Ａ１４］水分保持部材の端面は外部に露出している［Ａ１３］に記載の調光装置。
［Ａ１５］第１基板の縁部に設けられた封止部材を更に備えており、
封止部材と第２基板との間には、水分保持部材から延在する水分保持部材延在部が配設されている［Ａ１３］又は［Ａ１４］に記載の調光装置。
［Ａ１６］第２電極は、調光層上から第１基板上に亙り、且つ、第１電極と離間して形成されており、
水分保持部材は、少なくとも第２電極及び調光層を覆う［Ａ１５］に記載の調光装置。
［Ａ１７］封止部材の一部は補助電極から成る［Ａ１５］又は［Ａ１６］に記載の調光装置。
［Ａ１８］補助電極は、第１電極上に形成された第１補助電極、及び、第２電極上に第１補助電極と離間して形成された第２補助電極から構成されている［Ａ１７］に記載の調光装置。
［Ａ１９］封止部材は樹脂から成る［Ａ１５］又は［Ａ１６］に記載の調光装置。
［Ａ２０］封止部材を構成する樹脂のヤング率は１×１０7Ｐａ以下である［Ａ１９］に記載の調光装置。
［Ａ２１］少なくとも封止部材の一部の内側に補助電極が設けられている［Ａ１５］又は［Ａ１６］に記載の調光装置。
［Ａ２２］補助電極は、第１電極上に形成された第１補助電極、及び、第２電極上に第１補助電極と離間して形成された第２補助電極から構成されている［Ａ２１］に記載の調光装置。
［Ａ２３］封止部材は、第１基板の縁部に設けられた凸部から成る［Ａ１５］又は［Ａ１６］に記載の調光装置。
［Ａ２４］封止部材の一部の内側に補助電極が設けられている［Ａ２３］に記載の調光装置。
［Ａ２５］補助電極は、第１電極上に形成された第１補助電極、及び、第２電極上に第１補助電極と離間して形成された第２補助電極から構成されている［Ａ２４］に記載の調光装置。
［Ａ２６］封止部材の断面形状は、第２基板に近づくに従い狭くなる形状である［Ａ１５］乃至［Ａ２５］のいずれか１項に記載の調光装置。
［Ａ２７］水分保持部材と対向する第２基板の面には無機材料膜が形成されている［Ａ１５］乃至［Ａ２６］のいずれか１項に記載の調光装置。
［Ａ２８］水分保持部材を構成する材料のヤング率は１×１０6Ｐａ以下である［Ａ１３］乃至［Ａ２７］のいずれか１項に記載の調光装置。
［Ａ２９］水分保持部材を構成する樹脂は、アクリル系樹脂、シリコーン系樹脂又はウレタン系樹脂である［Ａ２８］に記載の調光装置。
［Ａ３０］湾曲している［Ａ０１］乃至［Ａ２９］のいずれか１項に記載の調光装置。
［Ａ３１］第１基板及び第２基板はプラスチック材料から成る［Ａ０１］乃至［Ａ３０］のいずれか１項に記載の調光装置。
［Ｂ０１］《画像表示装置：第１の態様》
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層を構成する化合物において還元反応に寄与する金属の原子数を［Ｒｅ］、酸化着色層を構成する化合物において酸化反応に寄与する金属の原子数を［Ｏｘ］としたとき、［Ｒｅ］／［Ｏｘ］の値は所定の範囲内にある画像表示装置。
［Ｂ０２］《画像表示装置：第２の態様》
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層の厚さをＴRe、酸化着色層の厚さをＴOxとしたとき、ＴRe／ＴOxの値は所定の範囲内にある画像表示装置。
［Ｂ０３］画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、［Ａ０１］乃至［Ａ３１］のいずれか１項に記載の調光装置から成る画像表示装置。
［Ｃ０１］《表示装置：第１の態様》
観察者の頭部に装着されるフレーム、及び、
フレームに取り付けられた画像表示装置、
を備えた表示装置であって、
画像表示装置は、
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層を構成する化合物において還元反応に寄与する金属の原子数を［Ｒｅ］、酸化着色層を構成する化合物において酸化反応に寄与する金属の原子数を［Ｏｘ］としたとき、［Ｒｅ］／［Ｏｘ］の値は所定の範囲内にある表示装置。
［Ｃ０２］《表示装置：第２の態様》
観察者の頭部に装着されるフレーム、及び、
フレームに取り付けられた画像表示装置、
を備えた表示装置であって、
画像表示装置は、
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、
第１基板、
第１基板と対向して配設され、外光が入光する第２基板、及び、
第１基板と第２基板との間に設けられた発光積層体、
を備えており、
発光積層体は、第１基板側から、第１電極、調光層及び第２電極が積層されて成り、
調光層は、還元着色層、電解質層及び酸化着色層の積層構造を有し、
還元着色層の厚さをＴRe、酸化着色層の厚さをＴOxとしたとき、ＴRe／ＴOxの値は所定の範囲内にある表示装置。
［Ｃ０３］観察者の頭部に装着されるフレーム、及び、
フレームに取り付けられた画像表示装置、
を備えた表示装置であって、
画像表示装置は、
画像形成装置、
画像形成装置から出射された光に基づき虚像が形成される虚像形成領域を有する光学装置、及び、
少なくとも虚像形成領域に対向して配置され、外部から入射する外光の光量を調整する調光装置、
を備えており、
調光装置は、［Ａ０１］乃至［Ａ３１］のいずれか１項に記載の調光装置から成る画像表示装置。
［Ｃ０４］少なくとも第２基板の縁部はフレームに固定されている［Ｃ０１］乃至［Ｃ０３］のいずれか１項に記載の表示装置。
［Ｃ０５］調光装置を通過する光は、調光装置によって所望の色に着色される［Ｃ０１］乃至［Ｃ０４］のいずれか１項に記載の表示装置。
［Ｃ０６］調光装置によって着色される色は可変である［Ｃ０５］に記載の表示装置。
［Ｃ０７］調光装置によって着色される色は固定である［Ｃ０５］に記載の表示装置。
［Ｄ０１］《調光装置の製造方法》
第１基板の上に、第１電極、調光層、第２電極を形成し、第１基板の縁部に封止部材を設けた後、
水分保持部材を少なくとも第２電極上に配置し、水分保持部材から延在する水分保持部材延在部を封止部材上に配置し、
水分保持部材及び水分保持部材延在部の上に第２基板を配置する、
各工程を有する調光装置の製造方法。
【符号の説明】
【０１９３】
１０・・・フレーム、１０’・・・ノーズパッド、１１・・・フロント部、１１’・・・リム部、１２・・・蝶番、１３・・・テンプル部、１４・・・モダン部、１５・・・配線（信号線や電源線等）、１６・・・ヘッドホン部、１６’・・・ヘッドホン部用配線、１７・・・カメラ、１８・・・制御装置（制御回路、制御手段）、１９・・・取付け部材、２０・・・観察者、２１・・・瞳、１００，２００，３００，４００，５００・・・画像表示装置、１１０，２１０・・・画像形成装置、１１１・・・有機ＥＬ表示装置、２１１，２１１Ａ，２１１Ｂ・・・光源、２１２・・・走査手段、１１３Ａ，１１３Ｂ，２１３・・・レンズ系、１１４・・・絞り、１１５，２１５・・・筐体、１２０，３２０，５２０・・・光学装置、１２１，３２１・・・導光板、１２２，３２２・・・導光板の第１面、１２３，３２３・・・導光板の第２面、３２４，３２５・・・導光板の一部分、１３０・・・第１偏向手段（第１回折格子部材）、１４０・・・第２偏向手段（第２回折格子部材、虚像形成領域）、３３０・・・第１偏向手段、３４０・・・第２偏向手段（虚像形成領域）、１５１・・・光学部材（ホログラムレンズ）、５３０Ａ，５３０Ｂ・・・半透過ミラー、６０１・・・光源、６０２・・・導光部材、６０３，６０５・・・偏光ビームスプリッター、６０４・・・液晶表示装置、６０６・・・１／４波長板、６０７・・・反射板、６１１・・・画像形成装置、６１２・・・導光部材、６１３・・・半透過ミラー、６１４・・・反射板、６２１・・・画像形成装置、６２２・・・プリズム、６２３，６２４・・・プリズム面、６２５・・・凸レンズ、７００，７００Ａ・・・調光装置、７１０・・・調光層、７１１・・・第１基板、７１２・・・第２基板、７１３・・・第１基板の縁部に設けられた凸部、７１４・・・無機材料膜、７２０・・・調光層（エレクトロクロミック材料層）、７２１・・・還元着色層（ＷＯ3層）、７２２・・・電解質層（Ｔａ2Ｏ5層）、７２３・・・酸化着色層（ＩｒyＳｎ1-yＯ層）、７３１・・・第１電極、７３２・・・第２電極、７３３，７３４，７３５，７３６，７５１・・・封止部材、７３３・・・第１補助電極、７３３’・・・第１枝補助電極、７３４・・・第２補助電極、７３４’・・・第２枝補助電極、７３７，７３８・・・接着剤、７４１・・・水分保持部材、７４２・・・調光装置中央部における水分保持部材（の領域）、７４３・・・水分保持部材延在部、７４４・・・水分保持部材と同じ材料から成る層、７６１，７６３・・・第１封止部材、７６２・・・第２封止部材、８０１・・・環境照度測定センサ、８０２・・・透過光照度測定センサ、８１１，８１２・・・遮光部材、９００・・・窓枠、９０１・・・窓ガラス
【図１】
2019097895.tif 000003
【図２】
2019097895.tif 000004
【図３】
2019097895.tif 000005
【図４】
2019097895.tif 000006
【図５】
2019097895.tif 000007
【図６】
2019097895.tif 000008
【図７】
2019097895.tif 000009
【図８】
2019097895.tif 000010
【図９】
2019097895.tif 000011
【図１０】
2019097895.tif 000012
【図１１】
2019097895.tif 000013
【図１２】
2019097895.tif 000014
【図１３】
2019097895.tif 000015
【図１４】
2019097895.tif 000016
【図１５】
2019097895.tif 000017
【図１６】
2019097895.tif 000018
【図１７】
2019097895.tif 000019
【図１８】
2019097895.tif 000020
【図１９】
2019097895.tif 000021
【図２０】
2019097895.tif 000022
【図２１】
2019097895.tif 000023
【図２２】
2019097895.tif 000024
【図２３】
2019097895.tif 000025
【図２４】
2019097895.tif 000026
【図２５】
2019097895.tif 000027
【図２６】
2019097895.tif 000028
【図２７】
2019097895.tif 000029
【図２８】
2019097895.tif 000030
【図２９】
2019097895.tif 000031
【図３０】
2019097895.tif 000032
【図３１】
2019097895.tif 000033
【図３２】
2019097895.tif 000034
【図３３】
2019097895.tif 000035
【図３４】
2019097895.tif 000036
【図３５】
2019097895.tif 000037
【図３６】
2019097895.tif 000038
【国際調査報告】
2019097895.tif 000039
2019097895.tif 000040
2019097895.tif 000041